(57)【特許請求の範囲】
【請求項１】
指定コードを送信する送信装置と、この送信装置より送信される指定コードを受信しこの受信された指定コードに基づいて対応する情報を表示するカラー表示可能な表示手段を備えた受信装置とで構成される通信システムにおいて、
前記送信装置は、
イラストパターンに対応する複数の第１の指定コードと色パターンに対応する第２の指定コードとを送信する送信手段を具備し、
前記受信装置は、
前記送信装置より送信される第１および第２の指定コードを受信する受信手段と、
複数の第１の指定コードとこの指定コードに対応するイラストパターンおよび第２の指定コードと該第２の指定コードに対応する色パターンを記憶した記憶手段と、
前記受信手段によって受信された第１の指定コードが複数存在する場合は、これら複数の第１の指定コードに基づいて前記記憶手段より複数のイラストパターンを読み出すとともに前記第２の指定コードに基づいて前記記憶手段より対応する色パターンを読み出し、この色パターンによって色付けされた前記複数のイラストパターンに基づいた動画表示を前記表示手段に行わしめる制御手段とを更に具備したことを特徴とする通信システム。
【請求項２】
指定コードを送信する送信装置と、この送信装置より送信される指定コードを受信しこの受信された指定コードに基づいて対応する情報を表示するカラー表示可能な表示手段を備えた受信装置とで構成される通信システムにおいて、
前記送信装置は、
イラストパターンに対応する第１の指定コードと色パターンに対応する複数の第２の指定コードとを送信する送信手段を具備し、
前記受信装置は、
前記送信装置より送信される第１および第２の指定コードを受信する受信手段と、
第１の指定コードとこの指定コードに対応するイラストパターンおよび複数の第２の指定コードと該第２の指定コードに対応する色パターンを記憶した記憶手段と、
前記受信手段によって受信された第２の指定コードが複数存在する場合は、これら複数の第２の指定コードに基づいて複数の色パターンを前記記憶手段より読み出して、前記イラストパターンを前記複数の色パターンに対応してカラーを変化させて表示させる制御手段とを更に具備したことを特徴とする通信システム。
【請求項３】
指定コードを送信する送信装置と、この送信装置より送信される指定コードを受信しこの受信された指定コードに基づいて対応する情報を表示するカラー表示可能な表示手段を備えた受信装置とで構成される通信システムにおいて、
前記送信装置は、
イラストパターンに対応する複数の第１の指定コードと色パターンに対応する複数の第２の指定コードとを送信する送信手段を具備し、
前記受信装置は、
前記送信装置より送信される第１および第２の指定コードを受信する受信手段と、
複数の第１の指定コードとこの指定コードに対応するイラストパターンおよび複数の第２の指定コードと該第２の指定コードに対応する色パターンを記憶した記憶手段と、
前記受信手段によって受信された第１の指定コードが複数存在する場合は、これら複数の第１の指定コードに基づいて前記記憶手段より複数のイラストパターンを読み出すとともに、前記受信手段によって受信された第２の指定コードが複数存在する場合は、これら複数の第２の指定コードに基づいて前記記憶手段より複数の色パターンを読み出し、これら複数の色パターンに対応するカラーの変化を伴って前記複数のイラストパターンに基づいた動画表示を前記表示手段に行わしめる制御手段とを更に具備したことを特徴とする通信システム。
【請求項４】
指定コードを送信する送信装置と、この送信装置より送信される指定コードを受信しこの受信された指定コードに基づいて対応する情報を表示するカラー表示可能な表示手段を備えた受信装置とで構成される通信システムにおいて、
前記送信装置は、
イラストパターンに対応する第１の指定コードと色パターンに対応する第２の指定コードとを送信する送信手段を具備し、
前記受信装置は、
前記送信装置より送信される第１および第２の指定コードを受信する受信手段と、
第１の指定コードとこの指定コードに対応するイラストパターンおよび第２の指定コードと該第２の指定コードに対応する色パターンを記憶した記憶手段と、
前記受信手段で受信した前記第１の指定コードに基づいて前記記憶手段より対応するイラストパターンを読み出すとともに、前記第２の指定コードに基づいて前記記憶手段より対応する色パターンを読み出し、前記イラストパターンをこの色パターンに対応するカラーで前記表示手段に表示させる制御手段とを更に具備し、
前記イラストパターンは複数のパーツパターンの組み合わせで構成され、前記第１の指定コードはこれら複数のパーツパターンの各々を指定するとともに、前記制御手段は、前記第１の指定コードで指定されたパーツパターンの各々を、前記第２の指定コードに対応する色パターンで前記表示手段にカラー表示させることを特徴とする通信システム。
【請求項５】
複数の第１の指定コードとこの指定コードに対応するイラストパターンおよび第２の指定コードと該第２の指定コードに対応する色パターンを記憶した記憶手段と、
所望のイラストパターンとカラーとを選択する選択手段と、
この選択手段により選択された所望のイラストパターンに対応する複数の第１の指定コードと所望のカラーに対応する第２の指定コードとを前記記憶手段より読み出して送信する送信手段と、を具備することを特徴とする送信装置。
【請求項６】
第１の指定コードとこの指定コードに対応するイラストパターンおよび複数の第２の指定コードと該第２の指定コードに対応する色パターンを記憶した記憶手段と、
所望のイラストパターンとカラーとを選択する選択手段と、
この選択手段により選択された所望のイラストパターンに対応する第１の指定コードと所望のカラーに対応する複数の第２の指定コードとを前記記憶手段より読み出して送信する送信手段と、を具備することを特徴とする送信装置。
【請求項７】
イラストデータを指定する第１の指定コードと色パターンに対応する第２の指定コードとを受信する受信手段と、
第１の指定コードとこの指定コードに対応するイラストパターンおよび第２の指定コードとこの第２の指定コードに対応する色パターンを記憶した記憶手段と、
この記憶手段に記憶された色パターンに対応するカラー表示が可能な表示手段と、
前記受信手段によって受信された第１の指定コードが複数存在する場合は、これら複数の第１の指定コードに基づいて前記記憶手段より複数のイラストパターンを読み出すとともに前記第２の指定コードに基づいて前記記憶手段より対応する色パターンを読み出し、この色パターンによって色付けされた前記複数のイラストパターンに基づいた動画表示を前記表示手段に行わしめる制御手段と
を具備したことを特徴とする受信装置。
【請求項８】
イラストデータを指定する第１の指定コードと色パターンに対応する第２の指定コードとを受信する受信手段と、
第１の指定コードとこの指定コードに対応するイラストパターンおよび第２の指定コードとこの第２の指定コードに対応する色パターンを記憶した記憶手段と、
この記憶手段に記憶された色パターンに対応するカラー表示が可能な表示手段と、
前記受信手段によって受信された第２の指定コードが複数存在する場合は、これら複数の第２の指定コードに基づいて前記記憶手段より複数の色パターンを読み出して、前記イラストパターンを前記複数の色パターンに対応してカラーを変化させて表示させる制御手段と
を具備したことを特徴とする受信装置。
【請求項９】
イラストデータを指定する第１の指定コードと色パターンに対応する第２の指定コードとを受信する受信手段と、
第１の指定コードとこの指定コードに対応するイラストパターンおよび第２の指定コードとこの第２の指定コードに対応する色パターンを記憶した記憶手段と、
この記憶手段に記憶された色パターンに対応するカラー表示が可能な表示手段と、
前記受信手段によって受信された第１の指定コードが複数存在する場合は、これら複数の第１の指定コードに基づいて前記記憶手段より複数のイラストパターンを読み出すとともに、前記受信手段によって受信された第２の指定コードが複数存在する場合は、これら複数の第２の指定コードに基づいて前記記憶手段より複数の色パターンを読み出し、これら複数の色パターンに対応するカラーの変化を伴って前記複数のイラストパターンに基づいた動画表示を前記表示手段に行わしめる制御手段と
を具備したことを特徴とする受信装置。
【請求項１０】
イラストデータを指定する第１の指定コードと色パターンに対応する第２の指定コードとを受信する受信手段と、
第１の指定コードとこの指定コードに対応するイラストパターンおよび第２の指定コードとこの第２の指定コードに対応する色パターンを記憶した記憶手段と、
この記憶手段に記憶された色パターンに対応するカラー表示が可能な表示手段と、
前記受信手段で受信した前記第１の指定コードに基づいて前記記憶手段より対応するイラストパターンを読み出すとともに、前記第２の指定コードに基づいて前記記憶手段より対応する色パターンを読み出し、前記イラストパターンをこの色パターンに対応するカラーで前記表示手段に表示させる制御手段とを具備し、
前記イラストパターンは複数のパーツパターンの組み合わせで構成され、前記第１の指定コードはこれら複数のパーツパターンの各々を指定するとともに、前記制御手段は、前記第１の指定コードで指定されたパーツパターンの各々を、前記第２の指定コードに対応する色パターンで前記表示手段にカラー表示させることを特徴とする受信装置。
【請求項１１】
第１の指定コードとこの指定コードに対応するイラストパターンおよび第２の指定コードと該第２の指定コードに対応する色パターンを記憶した記憶手段と、
所望のイラストパターンと所望のカラーとを選択する選択手段と、この選択手段により選択された所望のイラストパターンに対応する第１の指定コードと所望のカラーに対応する第２の指定コードとを前記記憶手段より読み出して送信する送信手段と、
イラストデータを指定する第１の指定コードと色パターンに対応する第２の指定コードとを受信する受信手段と、
前記記憶手段に記憶された色パターンに対応するカラー表示が可能な表示手段と、
前記受信手段によって受信された第１の指定コードが複数存在する場合は、これら複数の第１の指定コードに基づいて前記記憶手段より複数のイラストパターンを読み出すとともに前記第２の指定コードに基づいて前記記憶手段より対応する色パターンを読み出し、この色パターンによって色付けされた前記複数のイラストパターンに基づいた動画表示を前記表示手段に行わしめる制御手段と
を具備したことを特徴とする送受信装置。
【請求項１２】
第１の指定コードとこの指定コードに対応するイラストパターンおよび第２の指定コードと該第２の指定コードに対応する色パターンを記憶した記憶手段と、
所望のイラストパターンと所望のカラーとを選択する選択手段と、この選択手段により選択された所望のイラストパターンに対応する第１の指定コードと所望のカラーに対応する第２の指定コードとを前記記憶手段より読み出して送信する送信手段と、
イラストデータを指定する第１の指定コードと色パターンに対応する第２の指定コードとを受信する受信手段と、
前記記憶手段に記憶された色パターンに対応するカラー表示が可能な表示手段と、
前記受信手段によって受信された第２の指定コードが複数存在する場合は、これら複数の第２の指定コードに基づいて前記記憶手段より複数の色パターンを読み出して、別記イラストパターンを前記複数の色パターンに対応してカラーを変化させて表示させる制御手段と
を具備したことを特徴とする送受信装置。
【請求項１３】
第１の指定コードとこの指定コードに対応するイラストパターンおよび第２の指定コードと該第２の指定コードに対応する色パターンを記憶した記憶手段と、
所望のイラストパターンと所望のカラーとを選択する選択手段と、この選択手段により選択された所望のイラストパターンに対応する第１の指定コードと所望のカラーに対応する第２の指定コードとを前記記憶手段より読み出して送信する送信手段と、
イラストデータを指定する第１の指定コードと色パターンに対応する第２の指定コードとを受信する受信手段と、
前記記憶手段に記憶された色パターンに対応するカラー表示が可能な表示手段と、
前記受信手段によって受信された第１の指定コードが複数存在する場合は、これら複数の第１の指定コードに基づいて前記記憶手段より複数のイラストパターンを読み出すとともに、前記受信手段によって受信された第２の指定コードが複数存在する場合は、これら複数の第２の指定コードに基づいて前記記憶手段より複数の色パターンを読み出し、これら複数の色パターンに対応するカラーの変化を伴って前記複数のイラストパターンに基づいた動画表示を前記表示手段に行わしめる制御手段と
を具備したことを特徴とする送受信装置。
【請求項１４】
第１の指定コードとこの指定コードに対応するイラストパターンおよび第２の指定コードと該第２の指定コードに対応する色パターンを記憶した記憶手段と、
所望のイラストパターンと所望のカラーとを選択する選択手段と、この選択手段により選択された所望のイラストパターンに対応する第１の指定コードと所望のカラーに対応する第２の指定コードとを前記記憶手段より読み出して送信する送信手段と、
イラストデータを指定する第１の指定コードと色パターンに対応する第２の指定コードとを受信する受信手段と、
前記記憶手段に記憶された色パターンに対応するカラー表示が可能な表示手段と、
前記受信手段で受信した前記第１の指定コードに基づいて前記記憶手段より対応するイラストパターンを読み出すとともに、前記第２の指定コードに基づいて前記記憶手段より対応する色パターンを読み出し、前記イラストパターンをこの色パターンに対応したカラーで前記表示手段に表示させる制御手段と、を具備し、
前記イラストパターンは複数のパーツパターンの組み合わせで構成されており、前記第１の指定コードはこれら複数のパーツパターンの各々を指定するとともに、前記制御手段は、前記第１の指定コードで指定されたパーツパターンを夫々、前記第２の指定コードに対応する色パターンで前記表示手段にカラー表示させることを特徴とする送受信装置。
【請求項１５】
カラー表示が可能な受信装置に表示すべきイラストパターンを送信するイラストパターン送信方法であって、
前記受信装置で表示可能なカラーに対応する複数の第１の指定コードとこの指定コードに対応するイラストパターンおよび第２の指定コードと該第２の指定コードに対応する色パターンを記憶した記憶手段より、カラー表示すべきイラストパターンの色パターンを選択する選択ステップと、
この選択ステップにて選択された所望のイラストパターンに対応する複数の第１の指定コードと所望のカラーに対応する第２の指定コードとを前記記憶手段より読み出して送信する送信ステップと、
からなることを特徴とするイラストパターン送信方法。
【請求項１６】
カラー表示が可能な受信装置に表示すべきイラストパターンを送信するイラストパターン送信方法であって、
前記受信装置で表示可能なカラーに対応する第１の指定コードとこの指定コードに対応するイラストパターンおよび複数の第２の指定コードと該第２の指定コードに対応する色パターンを記憶した記憶手段よりカラー表示すべきイラストパターンの色パターンを選択する選択ステップと、
この選択ステップにて選択された所望のイラストパターンに対応する第１の指定コードと所望のカラーに対応する複数の第２の指定コードとを前記記憶手段より読み出して送信する送信ステップ、
からなることを特徴とするイラストパターン送信方法。
【発明の詳細な説明】
【０００１】
【発明の属する技術分野】
本発明は、色彩情報の伝送を可能にした通信システム、送信装置、受信装置、送受信装置、および、イラストパターン送信方法に関するものである。
【０００２】
【従来の技術】
最近、通信システムとして、加入者が携帯するページング受信機に対し一般電話機より交換局を介して呼出番号とともに情報メッセージを無線伝送することにより、必要とする情報を知らせるようにしたページングサービスが運用されている。
【０００３】
しかして、従来、このようなページングサービスでの情報サービスは、数字から構成されるメッセージを伝送するものが殆どであった。
【０００４】
【発明が解決しようとする課題】
ところが、情報メッセージとして数字列を伝送するものでは、伝送できる字数が限られているため、この限られた字数の範囲で受信者に対して用件の緩急度や発呼者の気持ちを伝えることが難しいという問題点があった。
【０００５】
そこで、最近になって、イラスト情報をも伝送できるようにしたものが考えられている。しかし、このようにしたものは、予め与えられたイラストを受信機側で単一色の静止画として表示するものであり、相手に自分の意思を伝えるのに必要とする表現力に欠けるものであった。
【０００６】
本発明の第１の目的は、色彩性を加味した表現力に富んだ情報を伝送することができる通信システムを提供することにある。
【０００７】
また、本発明の第２の目的は、色彩性を加味した表現力に富んだ情報を生成することができる送信装置を提供することにある。
【０００８】
また、本発明の第３の目的は、色彩性を加味した表現力に富んだ情報を受信して表示することができる受信装置を提供することにある。
さらに、本発明の第４の目的は、色彩性を加味した表現力に富んだ情報を生成し、また受信して表示することができる送受信装置を提供することにある。
さらにまた、本発明の第５の目的は、色彩性を加味した表現力に富んだ情報を送信することができるイラストパターン送信方法を提供することにある。
【０００９】
【課題を解決するための手段】
請求項１記載の発明は、指定コードを送信する送信装置と、この送信装置より送信される指定コードを受信しこの受信された指定コードに基づいて対応する情報を表示するカラー表示可能な表示手段を備えた受信装置とで構成される通信システムにおいて、前記送信装置は、イラストパターンに対応する複数の第１の指定コードと色パターンに対応する第２の指定コードとを送信する送信手段を具備し、前記受信装置は、前記送信装置より送信される第１および第２の指定コードを受信する受信手段と、複数の第１の指定コードとこの指定コードに対応するイラストパターンおよび第２の指定コードと該第２の指定コードに対応する色パターンを記憶した記憶手段と、前記受信手段によって受信された第１の指定コードが複数存在する場合は、これら複数の第１の指定コードに基づいて前記記憶手段より複数のイラストパターンを読み出すとともに前記第２の指定コードに基づいて前記記憶手段より対応する色パターンを読み出し、この色パターンによって色付けされた前記複数のイラストパターンに基づいた動画表示を前記表示手段に行わしめる制御手段とを更に具備したことを特徴としている。
請求項２記載の発明は、指定コードを送信する送信装置と、この送信装置より送信される指定コードを受信しこの受信された指定コードに基づいて対応する情報を表示するカラー表示可能な表示手段を備えた受信装置とで構成される通信システムにおいて、前記送信装置は、イラストパターンに対応する第１の指定コードと色パターンに対応する複数の第２の指定コードとを送信する送信手段を具備し、前記受信装置は、前記送信装置より送信される第１および第２の指定コードを受信する受信手段と、第１の指定コードとこの指定コードに対応するイラストパターンおよび複数の第２の指定コードと該第２の指定コードに対応する色パターンを記憶した記憶手段と、前記受信手段によって受信された第２の指定コードが複数存在する場合は、これら複数の第２の指定コードに基づいて複数の色パターンを前記記憶手段より読み出して、前記イラストパターンを前記複数の色パターンに対応してカラーを変化させて表示させる制御手段とを更に具備したことを特徴としている。
請求項３記載の発明は、指定コードを送信する送信装置と、この送信装置より送信される指定コードを受信しこの受信された指定コードに基づいて対応する情報を表示するカラー表示可能な表示手段を備えた受信装置とで構成される通信システムにおいて、前記送信装置は、イラストパターンに対応する複数の第１の指定コードと色パターンに対応する複数の第２の指定コードとを送信する送信手段を具備し、前記受信装置は、前記送信装置より送信される第１および第２の指定コードを受信する受信手段と、複数の第１の指定コードとこの指定コードに対応するイラストパターンおよび複数の第２の指定コードと該第２の指定コードに対応する色パターンを記憶した記憶手段と、前記受信手段によって受信された第１の指定コードが複数存在する場合は、これら複数の第１の指定コードに基づいて前記記憶手段より複数のイラストパターンを読み出すとともに、前記受信手段によって受信された第２の指定コードが複数存在する場合は、これら複数の第２の指定コードに基づいて前記記憶手段より複数の色パターンを読み出し、これら複数の色パターンに対応するカラーの変化を伴って前記複数のイラストパターンに基づいた動画表示を前記表示手段に行わしめる制御手段とを更に具備したことを特徴としている。
請求項４記載の発明は、指定コードを送信する送信装置と、この送信装置より送信される指定コードを受信しこの受信された指定コードに基づいて対応する情報を表示するカラー表示可能な表示手段を備えた受信装置とで構成される通信システムにおいて、前記送信装置は、イラストパターンに対応する第１の指定コードと色パターンに対応する第２の指定コードとを送信する送信手段を具備し、前記受信装置は、前記送信装置より送信される第１および第２の指定コードを受信する受信手段と、第１の指定コードとこの指定コードに対応するイラストパターンおよび第２の指定コードと該第２の指定コードに対応する色パターンを記憶した記憶手段と、前記受信手段で受信した前記第１の指定コードに基づいて前記記憶手段より対応するイラストパターンを読み出すとともに、前記第２の指定コードに基づいて前記記憶手段より対応する色パターンを読み出し、前記イラストパターンをこの色パターンに対応するカラーで前記表示手段に表示させる制御手段とを更に具備し、前記イラストパターンは複数のパーツパターンの組み合わせで構成され、前記第１の指定コードはこれら複数のパーツパターンの各々を指定するとともに、前記制御手段は、前記第１の指定コードで指定されたパーツパターンの各々を、前記第２の指定コードに対応する色パターンで前記表示手段にカラー表示させることを特徴としている。
【００１０】
請求項５記載の発明は、複数の第１の指定コードとこの指定コードに対応するイラストパターンおよび第２の指定コードと該第２の指定コードに対応する色パターンを記憶した記憶手段と、所望のイラストパターンとカラーとを選択する選択手段と、この選択手段により選択された所望のイラストパターンに対応する複数の第１の指定コードと所望のカラーに対応する第２の指定コードとを前記記憶手段より読み出して送信する送信手段と、を具備することを特徴としている。
請求項６記載の発明は、第１の指定コードとこの指定コードに対応するイラストパターンおよび複数の第２の指定コードと該第２の指定コードに対応する色パターンを記憶した記憶手段と、所望のイラストパターンとカラーとを選択する選択手段と、この選択手段により選択された所望のイラストパターンに対応する第１の指定コードと所望のカラーに対応する複数の第２の指定コードとを前記記憶手段より読み出して送信する送信手段と、を具備することを特徴としている。
【００１１】
請求項７記載の発明は、イラストデータを指定する第１の指定コードと色パターンに対応する第２の指定コードとを受信する受信手段と、第１の指定コードとこの指定コードに対応するイラストパターンおよび第２の指定コードとこの第２の指定コードに対応する色パターンを記憶した記憶手段と、この記憶手段に記憶された色パターンに対応するカラー表示が可能な表示手段と、前記受信手段によって受信された第１の指定コードが複数存在する場合は、これら複数の第１の指定コードに基づいて前記記憶手段より複数のイラストパターンを読み出すとともに前記第２の指定コードに基づいて前記記憶手段より対応する色パターンを読み出し、この色パターンによって色付けされた前記複数のイラストパターンに基づいた動画表示を前記表示手段に行わしめる制御手段とを具備したことを特徴としている。
請求項８記載の発明は、イラストデータを指定する第１の指定コードと色パターンに対応する第２の指定コードとを受信する受信手段と、第１の指定コードとこの指定コードに対応するイラストパターンおよび第２の指定コードとこの第２の指定コードに対応する色パターンを記憶した記憶手段と、この記憶手段に記憶された色パターンに対応するカラー表示が可能な表示手段と、前記受信手段によって受信された第２の指定コードが複数存在する場合は、これら複数の第２の指定コードに基づいて前記記憶手段より複数の色パターンを読み出して、前記イラストパターンを前記複数の色パターンに対応してカラーを変化させて表示させる制御手段とを具備したことを特徴としている。
請求項９記載の発明は、イラストデータを指定する第１の指定コードと色パターンに対応する第２の指定コードとを受信する受信手段と、第１の指定コードとこの指定コードに対応するイラストパターンおよび第２の指定コードとこの第２の指定コードに対応する色パターンを記憶した記憶手段と、この記憶手段に記憶された色パターンに対応するカラー表示が可能な表示手段と、前記受信手段によって受信された第１の指定コードが複数存在する場合は、これら複数の第１の指定コードに基づいて前記記憶手段より複数のイラストパターンを読み出すとともに、前記受信手段によって受信された第２の指定コードが複数存在する場合は、これら複数の第２の指定コードに基づいて前記記憶手段より複数の色パターンを読み出し、これら複数の色パターンに対応するカラーの変化を伴って前記複数のイラストパターンに基づいた動画表示を前記表示手段に行わしめる制御手段とを具備したことを特徴としている。
請求項１０記載の発明は、イラストデータを指定する第１の指定コードと色パターンに対応する第２の指定コードとを受信する受信手段と、第１の指定コードとこの指定コードに対応するイラストパターンおよび第２の指定コードとこの第２の指定コードに対応する色パターンを記憶した記憶手段と、この記憶手段に記憶された色パターンに対応するカラー表示が可能な表示手段と、前記受信手段で受信した前記第１の指定コードに基づいて前記記憶手段より対応するイラストパターンを読み出すとともに、前記第２の指定コードに基づいて前記記憶手段より対応する色パターンを読み出し、前記イラストパターンをこの色パターンに対応するカラーで前記表示手段に表示させる制御手段とを具備し、前記イラストパターンは複数のパーツパターンの組み合わせで構成され、前記第１の指定コードはこれら複数のパーツパターンの各々を指定するとともに、前記制御手段は、前記第１の指定コードで指定されたパーツパターンの各々を、前記第２の指定コードに対応する色パターンで前記表示手段にカラー表示させることを特徴としている。
【００１２】
請求項１１記載の発明は、第１の指定コードとこの指定コードに対応するイラストパターンおよび第２の指定コードと該第２の指定コードに対応する色パターンを記憶した記憶手段と、所望のイラストパターンと所望のカラーとを選択する選択手段と、この選択手段により選択された所望のイラストパターンに対応する第１の指定コードと所望のカラーに対応する第２の指定コードとを前記記憶手段より読み出して送信する送信手段と、イラストデータを指定する第１の指定コードと色パターンに対応する第２の指定コードとを受信する受信手段と、前記記憶手段に記憶された色パターンに対応するカラー表示が可能な表示手段と、前記受信手段によって受信された第１の指定コードが複数存在する場合は、これら複数の第１の指定コードに基づいて前記記憶手段より複数のイラストパターンを読み出すとともに前記第２の指定コードに基づいて前記記憶手段より対応する色パターンを読み出し、この色パターンによって色付けされた前記複数のイラストパターンに基づいた動画表示を前記表示手段に行わしめる制御手段とを具備したことを特徴としている。
請求項１２記載の発明は、第１の指定コードとこの指定コードに対応するイラストパターンおよび第２の指定コードと該第２の指定コードに対応する色パターンを記憶した記憶手段と、所望のイラストパターンと所望のカラーとを選択する選択手段と、この選択手段により選択された所望のイラストパターンに対応する第１の指定コードと所望のカラーに対応する第２の指定コードとを前記記憶手段より読み出して送信する送信手段と、イラストデータを指定する第１の指定コードと色パターンに対応する第２の指定コードとを受信する受信手段と、前記記憶手段に記憶された色パターンに対応するカラー表示が可能な表示手段と、前記受信手段によって受信された第２の指定コードが複数存在する場合は、これら複数の第２の指定コードに基づいて前記記憶手段より複数の色パターンを読み出して、別記イラストパターンを前記複数の色パターンに対応してカラーを変化させて表示させる制御手段とを具備したことを特徴としている。
請求項１３記載の発明は、第１の指定コードとこの指定コードに対応するイラストパターンおよび第２の指定コードと該第２の指定コードに対応する色パターンを記憶した記憶手段と、所望のイラストパターンと所望のカラーとを選択する選択手段と、この選択手段により選択された所望のイラストパターンに対応する第１の指定コードと所望のカラーに対応する第２の指定コードとを前記記憶手段より読み出して送信する送信手段と、イラストデータを指定する第１の指定コードと色パターンに対応する第２の指定コードとを受信する受信手段と、前記記憶手段に記憶された色パターンに対応するカラー表示が可能な表示手段と、前記受信手段によって受信された第１の指定コードが複数存在する場合は、これら複数の第１の指定コードに基づいて前記記憶手段より複数のイラストパターンを読み出すとともに、前記受信手段によって受信された第２の指定コードが複数存在する場合は、これら複数の第２の指定コードに基づいて前記記憶手段より複数の色パターンを読み出し、これら複数の色パターンに対応するカラーの変化を伴って前記複数のイラストパターンに基づいた動画表示を前記表示手段に行わしめる制御手段とを具備したことを特徴としている。
請求項１４記載の発明は、第１の指定コードとこの指定コードに対応するイラストパターンおよび第２の指定コードと該第２の指定コードに対応する色パターンを記憶した記憶手段と、所望のイラストパターンと所望のカラーとを選択する選択手段と、この選択手段により選択された所望のイラストパターンに対応する第１の指定コードと所望のカラーに対応する第２の指定コードとを前記記憶手段より読み出して送信する送信手段と、イラストデータを指定する第１の指定コードと色パターンに対応する第２の指定コードとを受信する受信手段と、前記記憶手段に記憶された色パターンに対応するカラー表示が可能な表示手段と、前記受信手段で受信した前記第１の指定コードに基づいて前記記憶手段より対応するイラストパターンを読み出すとともに、前記第２の指定コードに基づいて前記記憶手段より対応する色パターンを読み出し、前記イラストパターンをこの色パターンに対応したカラーで前記表示手段に表示させる制御手段と、を具備し、前記イラストパターンは複数のパーツパターンの組み合わせで構成されており、前記第１の指定コードはこれら複数のパーツパターンの各々を指定するとともに、前記制御手段は、前記第１の指定コードで指定されたパーツパターンを夫々、前記第２の指定コードに対応する色パターンで前記表示手段にカラー表示させることを特徴としている。
【００１３】
請求項１５記載の発明は、カラー表示が可能な受信装置に表示すべきイラストパターンを送信するイラストパターン送信方法であって、前記受信装置で表示可能なカラーに対応する複数の第１の指定コードとこの指定コードに対応するイラストパターンおよび第２の指定コードと該第２の指定コードに対応する色パターンを記憶した記憶手段より、カラー表示すべきイラストパターンの色パターンを選択する選択ステップと、この選択ステップにて選択された所望のイラストパターンに対応する複数の第１の指定コードと所望のカラーに対応する第２の指定コードとを前記記憶手段より読み出して送信する送信ステップと、
からなることを特徴としている。
請求項１６記載の発明は、カラー表示が可能な受信装置に表示すべきイラストパターンを送信するイラストパターン送信方法であって、前記受信装置で表示可能なカラーに対応する第１の指定コードとこの指定コードに対応するイラストパターンおよび複数の第２の指定コードと該第２の指定コードに対応する色パターンを記憶した記憶手段よりカラー表示すべきイラストパターンの色パターンを選択する選択ステップと、この選択ステップにて選択された所望のイラストパターンに対応する第１の指定コードと所望のカラーに対応する複数の第２の指定コードとを前記記憶手段より読み出して送信する送信ステップ、
からなることを特徴としている。
【００１４】
この結果、本発明によれば、通信システムにおいて指定コードを送信する送信装置では、イラストパターンに対応する第１の指定コードと色パターンに対応する第２の指定コードとを送信する。そして、指定コードに基づいて情報をカラー表示可能な受信装置では、受信手段により第１および第２の指定コードを受信すると、記憶手段より第１の指定コードに対応するイラストパターンを読み出すとともに、前記第２の指定コードに基づいて前記記憶手段より対応する色パターンを読み出し、前記イラストパターンをこの色パターンに対応するカラーで前記表示手段に表示させるようになっている。これにより、表示されるイラストパターンに色付けすることができ、色彩性を加味した表現力に富んだ情報を伝送することができる。
【００１５】
また、本発明によれば、送信装置は、第１の指定コードとこの指定コードに対応するイラストパターンおよび第２の指定コードと該第２の指定コードに対応する色パターンを記憶する記憶手段を備え、所望のイラストパターンとカラーとを選択すると、選択された所望のイラストパターンに対応する第１の指定コードと所望のカラーに対応する第２の指定コードとを前記記憶手段より読み出して送信する。これにより、色彩性を加味した表現力に富んだ情報を生成することができる。
【００１６】
また、本発明によれば、受信装置は、イラストデータを指定する第１の指定コードと色パターンに対応する第２の指定コードとを受信すると、記憶手段より第１の指定コードに基づいて対応するイラストパターンを読み出すとともに、前記第２の指定コードに基づいて対応する色パターンを読み出し、前記イラストパターンをこの色パターンに対応するカラーで前記表示手段に表示させる。これにより、色彩性を加味した表現力に富んだ情報を受信して表示することができる。
【００１７】
また、本発明によれば、送受信装置は、第１の指定コードとこの指定コードに対応するイラストパターンおよび第２の指定コードと該第２の指定コードに対応する色パターンを記憶する記憶手段を備え、所望のイラストパターンとカラーとを選択すると、選択された所望のイラストパターンに対応する第１の指定コードと所望のカラーに対応する第２の指定コードとを前記記憶手段より読み出して送信する。また、第１及び第２の指定コードとを受信すると、記憶手段より第１の指定コードに基づいて対応するイラストパターンを読み出すとともに、前記第２の指定コードに基づいて対応する色パターンを読み出し、前記イラストパターンをこの色パターンに対応するカラーで前記表示手段に表示させる。これにより、色彩性を加味した表現力に富んだ情報を生成し、また受信して表示することができる。
【００１８】
また、本発明のイラストパターン送信方法は、受信装置側で表示可能なカラーに対応する色パターンが複数記憶されたカラーテーブルより、カラー表示すべきイラストパターンの色パターンを選択すると、この選択された色パターンを対応する指定コードに変換して表示すべきイラストパターンとともに送信する。これにより、色彩性を加味した表現力に富んだ情報を送信することができる。
【００１９】
また、本発明によれば、前記の通信システム、受信装置、および、送受信装置において、受信された第２の指定コードが複数存在する場合は、これら複数の第２の指定コードに基づいて複数の色パターンを前記記憶手段より読み出して、前記イラストパターンを前記複数の色パターンに対応してカラーを変化させて表示させる。これにより、前記通信システム、受信装置、および、送受信装置においてさらに色彩性を加味した表現力に富んだ情報を伝送し、また受信して表示することができる。
【００２０】
また、本発明によれば、前記の通信システム、受信装置、および、送受信装置において、受信された第１の指定コードが複数存在する場合は、これら複数の第１の指定コードに基づいて前記記憶手段より複数のイラストパターンを読み出すとともに、受信された第２の指定コードが複数存在する場合は、これら複数の第２の指定コードに基づいて前記記憶手段より複数の色パターンを読み出し、これら複数の色パターンに対応するカラーの変化を伴って前記複数のイラストパターンに基づいた動画表示を前記表示手段に行わしめる。これにより、前記通信システム、受信装置、および、送受信装置においてさらに色彩性を加味した表現力に富んだ情報を伝送し、また受信して表示することができる。
【００２１】
【発明の実施の形態】
以下、本発明の実施の形態を図面に従い説明する。
【００２２】
（第１の実施の形態）
図１は、本発明をページングサービスに適用した例を示している。この場合、プッシュホンなど電話端末１が接続される電話交換網２には、ページャサービス会社３の管轄する中央制御局３１および送信基地局３２が接続され、例えば、電話端末１より所定の呼出番号を入力すると、ページャサービス会社３の管轄する中央制御局３１を介して送信基地局３２より呼出番号に対応するページング受信機４に呼び出しがなされるようになっている。
【００２３】
図２は、ページング受信機４の外観図を示している。この場合、ページング受信機４は、キー入力部４１と表示部４２をヒンジ部４３を介して連結するとともに、これらを２つ折り可能な構成にしている。
【００２４】
キー入力部４１は、各種の操作用キーとして、数字キー５、セットキー６、セレクトキー７、モードキー８を有している。ここで、数字キー５は、「１」〜「０」キーの他に、「＊」キー、「＃」キーを有し、これらキーにより入力データを指示するようにしている。セットキー６は、各種モードにおいて設定操作を行う際に、その決定を指示するものである。セレクトキー７は、各モードにおいて、選択操作を行うものである。そして、モードキー８は、その操作回数によって送信メッセージ作成モード、時刻設定モード、鳴音切り替えモードなどを選択できるようになっている。すなわち、本実施の形態のページング受信機は呼出しを伴う、メッセージを受信できる機能だけでなく、送信用メッセージを作成する機能も備えている。
【００２５】
表示部４２は、液晶表示装置からなるもので、ここでは、メッセージを表示するカラー液晶など（例えば８色）によるドットマトリクスで構成されるメッセージ表示部４２１と送信メッセージ作成時に、このメッセージによる送信コードの構成を表示する送信コード表示部４２２を有している。また、表示部４２は、表示手段として別の表示素子を用いることもでき、例えばＥＬディスプレイ、プラズマディスプレイなどを用いることも可能である。
【００２６】
また、このようなページング受信機４は、ダイヤラー機能を持たせるためダイヤラーキー９とダイヤラースピーカ１０を有しており、ダイヤラーキー９を操作するのみで、ダイヤラースピーカ１０より送信コードを対応するダイヤルトーンに変更して自動的に出力できるようにしている。
【００２７】
なお、図中の１１は電源投入スイッチ、１２はリセットスイッチである。
【００２８】
図３は、上述のページング受信機４の概略構成を示すもので、図において、２１はアンテナで、このアンテナ２１はＲＦ受信部２２に接続し、このＲＦ受信部２２をデコーダ部２３を介してＣＰＵ２４に接続している。ＲＦ受信部２２は、アンテナ２１で受信した無線信号を復調するようにしている。
【００２９】
デコーダ部２３には、ＩＤ−ＲＯＭ２５を接続している。ＩＤ−ＲＯＭ２５は、当該ページング受信機に個別に割当てられたＩＤコード、詳細にはフレームデータやアドレスデータ等を記憶したもので、このＩＤコードをデコーダ部２３に与えるようにしている。デコーダ部２３は、ＩＤ−ＲＯＭ２５より取り込んだＩＤコードに基づいてＲＦ受信部２２を間欠駆動するとともに、ＲＦ受信部２２で復調した無線信号を解読し、これがＩＤコードに一致したと判断すると、呼出し検出信号および続いて受信される無線信号におけるメッセージデータをＣＰＵ２４に送り込むようにしている。
【００３０】
ＣＰＵ２４には、上述のキー入力部４１、表示バッファ２６を介して上述の表示部４２の他に、スピーカドライバ２７を介してスピーカ２８、バイブレータドライバ２９を介してバイブレータ３０、ＬＥＤドライバ３１を介してＬＥＤ３２、ＲＯＭ３３、ＲＡＭ３４を接続している。
【００３１】
スピーカ２８は、ＣＰＵ２４の制御の下で、スピーカドライバ２７を介して呼出しを出力し、同様に、バイブレータ３０は、バイブレータドライバ２９により呼出しを振動で、ＬＥＤ３２は、ＬＥＤドライバ３１により呼出しを光の点滅により出力するようにしている。
【００３２】
ＲＯＭ３３は、ＣＰＵ２４のために予め用意された制御プログラムを記憶するとともに、後述する定型文テーブルおよび色パターンテーブルを記憶している。
【００３３】
この場合、定型文テーブルは、図４に示すように指定コードとなるメッセージコードに対応付けて定型文からなるメッセージを記憶したもので、例えば、メッセージコード「０１」で「キンキュウ」、メッセージコード「０２」で「ＴＥＬセヨ」の定型文メッセージを得られるようになっている。また、色パターンテーブルは、図５に示すように色パターンコードに対応付けて表示部４２に色付けされる色パターンを記憶したもので、例えば色パターンコード「００」で「白」、色指定コード「０１」で「赤」の色パターンを得られるようになっている。
【００３４】
図３に戻って、ＲＡＭ３４は、呼出しに際して送られてきたメッセージデータを記憶するものである。また、ＣＰＵ２４は、ＲＯＭ３３に記憶された制御プログラムにしたがって、各回路を総括的に制御するようになっている。
【００３５】
次に、以上のように構成した第１の実施の形態の動作を説明する。
【００３６】
まず、本発明を適用したページング受信機４を用いて送信メッセージを作成し、この作成したメッセージを当該ページング受信機４と同一構成のページング受信機に送信する場合を図６に示すフローチャートにより説明する。
【００３７】
まず、ステップ６０１で、図２に示すキー入力部４１のモードキー８により送信メッセージ作成モードを選択する。
【００３８】
次に、ステップ６０２で背景色を指定するか決定する。ここで、背景色を指定する場合は、最初に色指定コード「Ｕ７」を設定する。そして、ステップ６０３に進み、図５に示す色パターンテーブルに基づいて色パターンコードを選択、決定するようになる。
【００３９】
ここで、色指定コード「Ｕ７」を入力するには、キー入力部４１の操作により、まず＊０を入力し、続けて「７」を入力すれば、表示部４２の送信コード表示部４２２に「Ｕ７」が表示されると同時に、色指定コードが設定される。
【００４０】
そして、ステップ６０４に進む。一方、ステップ６０２で、色指定コード「Ｕ７」を設定せず、背景色を指定しない場合は、ステップ６０３を通ることなくステップ６０４に進む。
【００４１】
ステップ６０４では、送信するメッセージデータのタイプを設定する。ここで、送信するメッセージデータのタイプとしては、送信したデータ自体が受信側で表示される通常のメッセージデータと送信したデータに基づいて受信側に記憶した定型文が復元表示される定型フォーマットデータとがあるので、メッセージデータとして定型フォーマットデータを送信する場合は、最初に「＊］キーを操作する。
【００４２】
ここで、定型フォーマットデータを送信しない場合、すなわち、最初の入力データが「＊」でない場合は、ステップ６０４で、ＮＯと判断し、ステップ６０５に進み、ここでキー入力部４１の数字キー５により数字をメッセージデータとして入力することでメッセージデータを決定する。
【００４３】
一方、ステップ６０４で、定型フォーマットデータを送信する場合は、「＊」キーに続けて「４」キー、「＊」キー、「４」キーを順次操作する。このキー操作で入力されたデータ「＊４＊４」は、定型文の指定を行うためのコードである。この場合、キー入力部４１のキー操作により「＊４＊４」と入力すると、表示部４２の送信コード表示部４２２には、「［［」が定型文指定コードとして表示される。
【００４４】
次に、ステップ６０６に進む。ステップ６０６では、図４に示す定型文テーブル内の所望の定型文に対応するメッセージコード（２桁）を入力することで、定型文データの入力を決定する。
【００４５】
そして、ステップ６０７に進んで、ステップ６０５、６０６で決定したメッセージまたは定型文を色付けするために色指定するか決定する。ここで、色指定する場合は、色指定コード「Ｕ７」を設定する。そして、ステップ６０８に進み、図５に示す色パターンテーブルに基づいて色パターンコードを選択、決定する。
【００４６】
そして、ステップ６０９に進む。一方、ステップ６０７で、色指定コード「Ｕ７」を設定せず、色指定しない場合は、ステップ６０８を通ることなくステップ６０９に進む。
【００４７】
ステップ６０９では、色を変化させるか決定する。ここで、色を変化させる場合は、ステップ６０８に戻り、続けて、図５に示す色パターンテーブルに基づいて色パターンコードを選択、決定する。また、ステップ６０７で色指定しなかった場合は、ステップ６０９において色を変化させる色パターンコードでなく、色を指定するためのパターンコードを選択し、決定する決定操作を再度行う。
【００４８】
その後、ステップ６１０で、送信メッセージ作成を終了すると、次のステップ６１１でデータ送信が可能になる。この場合、図１に示すプッシュホン電話端末１の送話器に、図２に示すダイヤラースピーカ１０を押し当て、ダイヤラーキー９を操作することで作成した送信コードによるダイヤルトーンが自動的に出力されるようになる。
【００４９】
図７は、送信メッセージ作成時の表示部４２の送信コード表示部４２２での表示例を示している。
【００５０】
この場合、送信メッセージ作成モードを指示した後、背景色指定のためキー入力部４１により、＊０を入力し、続けて「７」を入力すると、色指定コード「Ｕ７」が表示され、次に、図５に示す色パターンテーブルに基づき色パターンコード「０７」に対応する「水色」をセットキー６を操作して決定すれば、送信コード表示部４２２には、色指定コード「Ｕ７」に続けて色パターンコード「０７」が表示される。
【００５１】
次に、キー入力部４１により「＊」に続けて「４」、「＊」、「４」を入力すると、「Ｕ７０７」に続けて定型文指定コード「［［」が表示され、次に、メッセージコード「１５」に対応する定型文「トラブル」からなるメッセージをセットキー６を操作して決定すれば、送信コード表示部４２２には、上述の「Ｕ７０７」に続けて定型文フォーマット「［［」とメッセージコード「１５」が表示され、メッセージ表示部４２１には定型文「トラブル」が表示される。
【００５２】
さらに、定型文「トラブル」について色指定するため、キー入力部４１により、再び＊０を入力し、続けて「７」を入力すると、色指定コード「Ｕ７」が表示され、次に、色パターンコード「０３」に対応する「黄」をセットキー６を操作して決定すれば、送信コード表示部４２２には、上述の「Ｕ７０７［［１５」に続けて色指定コード「Ｕ７」と色パターンコード「０３」が表示され、さらに色変化させるため、再び、色パターンコード「０１」に対応する「赤」をセットキー６を操作して決定すれば、送信コード表示部４２２には、上述の「Ｕ７０７［［１５Ｕ７０３」に続けて色パターンコード「０１」が表示される。
【００５３】
これにより、色彩情報を付加した定型文の送信メッセージの作成が完了する。なお、送信メッセージ作成時において、送信コード表示部４２２には、作成したイメージにしたがって表示される送信コードが確認のため表示されるが、例えば、この作成した送信コードをダイヤラーで送信せず、電話機のプッシュボタンを操作してこのコードを送信する場合は、セットキー６をさらに操作すればプッシュボタンに対応した送信コードに変換され送信コード表示部４２２に表示される。すなわち、フローチャートに沿って作成され、送信コード表示部４２２に表示された送信コード「Ｕ７０７［［１５Ｕ７０３０１」は作成完了後にセットキー６を操作すれば、「＊０７０７＊４＊４１５＊０７０３０３」に変更して表示される。また、後述する第２第３の実施の形態でもこの操作は可能である。
【００５４】
次に、受信モードを図８および図９に示すフローチャートにより説明する。
【００５５】
この場合、ステップ８０１で、アンテナ２１を介してＲＦ受信部２２で当該ページング受信機４を呼出す無線信号を受信すると、ＲＦ受信部２２では、この受信した無線信号を復調してデコーダ部２３に与える。デコーダ部２３では、復調された無線信号における呼出し信号についてＩＤ−ＲＯＭ２５より与えられる当該ページング受信機に個別に割当てられたＩＤコードとの一致を判断する。そして、これらが一致した場合のみ、呼出信号受信にともなう呼出信号検出信号をＣＰＵ２４に送出する。
【００５６】
次に、ステップ８０２で、この無線信号において呼出信号の後にメッセージデータが付いているか否かを判断する。ここで、メッセージデータが続いていない場合は、ステップ８０３に進み、呼出信号にともなう受信報知のみを行う。
【００５７】
一方、呼出信号の後にメッセージデータが続く場合は、ＣＰＵ２４よりデコーダ部２３に対してこのメッセージデータを継続して受信することを指示して、メッセージデータを取込み、ステップ８０４以降に進む。
【００５８】
ここで、例えば、上述した図７に示すメッセージデータ「Ｕ７０７［［１５Ｕ７０３０１」を受信した場合は、ステップ８０４で、メッセージ先頭部に色指定コードがあるかを判断する。ここでは色指定コード「Ｕ７」が存在しＹＥＳとなるので、ステップ８０５に進む。そして、ステップ８０５では、色指定コードと色パターンの後に定型文指定コードがあるかを判断する。ここでは定型文指定コード「［［」が存在しＹＥＳとなり、ステップ８０６に進み、定型文指定コードとメッセージコードの後に再び色指定コードがあるかを判断する。ここでは色指定コード「Ｕ７」が存在しＹＥＳとなるので、ステップ８０７に進み、さらに色パターンコードが複数あるかを判断する。この場合、複数の色パターンコードとしてパターン「０３」「０１」を判断するので、ステップ８０８に進み、表示部４２のメッセージ表示部４２１にこのメッセージによるメッセージを表示するようになる。
【００５９】
この場合のメッセージ表示部４２１での表示例は、図１０に示すようになるが、この時のメッセージデータ「Ｕ７０７［［１５Ｕ７０３０１」に基づき、まず、色指定コード「Ｕ７」に続く色パターンコード「０７」によりＲ０Ｍ３３の図５に示す色パターンテーブルより「水色」を読み出し、メッセージ表示部４２１の背景色を水色にする。次いで、定型文指定コード「［［」に続くメッセージコード「１５」により図４に示す定型文テーブルより定型文「トラブル」を読み出しメッセージ表示部４２１に表示し、さらに、色指定コード「Ｕ７」に続く色パターンコード「０３」により前記色パターンテーブルより「黄」を読み出し、メッセージコード「１５」で指定された定型文「トラブル」の文字表示を黄色にする。さらに、色パターンコード「０３」に続く色パターンコード「０１」により前記色パターンテーブルより「赤」を読み出し、黄色で表示されている定型文「トラブル」の文字表示を黄色から赤色に一定の時間経過後、例えば１５秒後に変化させるようになる。
【００６０】
次に、メッセージデータとして、「Ｕ７０７［［１５Ｕ７０３」を受信したような場合には、ステップ８０６まで上述したと同様で、ステップ８０７の色パターンコードが複数あるかの判断で、色パターンコード「０３」のみを判断するので、ＮＯとなって、ステップ８０９に進み、表示部４２のメッセージ表示部４２１にこのメッセージによるメッセージを表示するようになる。
【００６１】
この場合のメッセージ表示部４２１での表示例も、図１０に示すようになるが、この時のメッセージデータ「Ｕ７０７［［１５Ｕ７０３」に基づき、まず、色指定コード「Ｕ７」に続く色パターンコード「０７」によりＲ０Ｍ３３の図５に示す色パターンテーブルより「水色」を読み出し、メッセージ表示部４２１の背景色を水色にする。次いで、定型文指定コード「［［」に続くメッセージコード「１５」により図４に示す定型文テーブルより定型文「トラブル」を読み出しメッセージ表示部４２１に表示し、さらに、色指定コード「Ｕ７」に続く色パターンコード「０３」により前記色パターンテーブルより「黄」を読み出し、メッセージコード「１５」で指定された定型文「トラブル」の文字表示を黄色にする。
【００６２】
次に、メッセージデータとして、「Ｕ７０７［［１５」を受信したような場合は、ステップ８０４からステップ８０５まで上述と同様で、ステップ８０６での定型文指定コードとメッセージコードの後に色指定コードがあるかの判断でＮＯとなるので、ステップ８１０に進み、表示部４２のメッセージ表示部４２１にこのメッセージデータによるメッセージを表示するようになる。
【００６３】
この場合のメッセージ表示部４２１での表示例も、図１０に示すようになるが、この時のメッセージデータまたは「Ｕ７０７［［１５」に基づき、まず、色指定コード「Ｕ７」に続く色パターンコード「０７」によりＲ０Ｍ３３の図５に示す色パターンテーブルより「水色」を読み出し、メッセージ表示部４２１の背景色を水色にする。次いで、定型文指定コード「［［」に続くメッセージコード「１５」により図４に示す定型文テーブルより定型文「トラブル」を読み出しメッセージ表示部４２１に表示する。しかし、これの後に色指定コードが続かないので、メッセージコード「１５」で指定された定型文「トラブル」の表示色は黒となり、水色地に黒で定型文「トラブル」が表示される。
【００６４】
次に、メッセージデータとして、「Ｕ７０７  ４９１９Ｕ７０３０１」を受信したような場合は、ステップ８０６での定型文指定コードがあるかの判断でＮＯとなるので、ステップ８１１に進み、このメッセージデータの末尾に色指定コードがあるかを判断する。ここでは、ＹＥＳになるので、ステップ８１２に進み、色パターンコードが複数あるかを判断する。この場合、複数の色パターンコードとして２パターン「０３」「０１」を判断するので、ステップ８１３に進み、表示部４２のメッセージ表示部４２１にこのメッセージデータによるメッセージを表示するようになる。
【００６５】
この場合のメッセージ表示部４２１での表示例は、図１１に示すようになるが、上述したメッセージデータ「Ｕ７０７  ４９１９Ｕ７０３０１」に基づき、まず、色指定コード「Ｕ７」に続く色パターンコード「０７」によりＲ０Ｍ３３の図５に示す色パターンテーブルより「水色」を読み出し、メッセージ表示部４２１の背景色を水色にする。次いで、メッセージデータ「４９１９」をそのままメッセージ表示部４２１に表示し、さらに、メッセージデータ「４９１９」の後にある色指定コード「Ｕ７」に続く色パターンコード「０３」により前記色パターンテーブルより「黄」を読み出し、メッセージデータ「４９１９」の表示を黄色にする。さらに、色パターンコード「０３」に続く色パターンコード「０１」により前記色パターンテーブルより「赤」を読み出し、黄色で表示されているメッセージデータ「４９１９」表示を一定の時間経過後、例えば１５秒後に黄色から赤色に変化させるようになる。
【００６６】
次に、メッセージデータとして、「Ｕ７０７  ４９１９Ｕ７０３」を受信したような場合は、ステップ８０５からステップ８１１まで上述と同様で、ステップ８１２の色パターンコードが複数あるかの判断で、色パターンコード「０３」のみを判断するので、ＮＯとなって、ステップ８１４に進み、表示部４２のメッセージ表示部４２１にメッセージを表示するようになる。
【００６７】
この場合のメッセージ表示部４２１での表示例も、図１１に示すようになるが、この時のメッセージデータ「Ｕ７０７  ４９１９Ｕ７０３」に基づき、まず、色指定コード「Ｕ７」に続く色パターンコード「０７」によりＲ０Ｍ３３の図５に示す色パターンテーブルより「水色」を読み出し、メッセージ表示部４２１の背景色を水色にする。次いで、メッセージデータ「４９１９」をそのままメッセージ表示部４２１に表示し、さらに、色指定コード「Ｕ７」に続く色パターンコード「０３」により前記色パターンテーブルより「黄」を読み出し、メッセージデータ「４９１９」の表示を黄色にする。
【００６８】
次に、メッセージデータとして、「Ｕ７０７  ４９１９」を受信したような場合は、ステップ８０５まで上述と同様で、ステップ８１１でのメッセージデータの末尾に色指定コードがあるかの判断でＮＯとなるので、ステップ８１５に進み、表示部４２のメッセージ表示部４２１にこのメッセージデータによるメッセージを表示するようになる。
【００６９】
この場合のメッセージ表示部４２１での表示例も、図１１に示すようになるが、この時のメッセージデータ「Ｕ７０７  ４９１９」に基づき、まず、色指定コード「Ｕ７」に続く色パターンコード「０７」によりＲ０Ｍ３３の図５に示す色パターンテーブルより「水色」を読み出し、メッセージ表示部４２１の背景色を水色にする。次いで、メッセージデータ「４９１９」をそのままメッセージ表示部４２１に表示する。しかし、これの後に指定コードが続かないので、メッセージデータ「４９１９」の表示色は黒となり、水色地に黒でメッセージデータ「４９１９」が表示される。
【００７０】
次に、メッセージデータとして、「［［１５Ｕ７０３０１」を受信したような場合は、ステップ８０４のメッセージ先頭部に色指定コードがあるかの判断でＮ０となるので、ステップ８１６に進む。ステップ８１６では、定型文指定コードがあるかを判断する。ここでは定型文指定コード「［［」が存在しＹＥＳとなり、ステップ８１７に進み、定型文指定コードとメッセージコードの後に再び色指定コードがあるかを判断する。ここでは色指定コード「Ｕ７」が存在しＹＥＳとなるので、ステップ８１８に進み、さらに色パターンコードが複数あるかを判断する。この場合、複数の色パターンコードとしてパターン「０３」「０１」を判断するので、ステップ８１９に進み、表示部４２のメッセージ表示部４２１にこのメッセージデータによるメッセージを表示するようになる。
【００７１】
この場合のメッセージ表示部４２１での表示例は、図１０に示すようになるが、ここでは、背景色を決定する色指定コード「Ｕ７」がないので、背景色は設定されずに無色になり、定型文指定コード「［［」に続くメッセージコード「１５」により図４に示す定型文テーブルより定型文「トラブル」を読み出しメッセージ表示部４２１に表示し、さらに、色指定コード「Ｕ７」に続く色パターンコード「０３」により図５に示す色パターンテーブルより「黄」を読み出し、メッセージコード「１５」で指定された定型文「トラブル」の文字表示を黄色にする。さらに、色パターンコード「０３」に続く色パターンコード「０１」により前記色パターンテーブルより「赤」を読み出し、黄色で表示されている定型文「トラブル」の文字表示を黄色から赤色に一定の時間経過後に変化させるようになる。
【００７２】
次に、メッセージデータとして、「［［１５Ｕ７０３」を受信したような場合には、ステップ８１６からステップ８１７まで上述したと同様で、ステップ８１８の色パターンコードが複数あるかの判断で、色パターンコード「０３」のみを判断するので、ＮＯとなって、ステップ８２０に進み、表示部４２のメッセージ表示部４２１にメッセージデータによるメッセージを表示するようになる。
【００７３】
この場合のメッセージ表示部４２１での表示例も、図１０に示すようになるが、ここでも背景色を決定する色指定コード「Ｕ７」がないので、背景色は設定されずに無色になり、定型文指定コード「［［」に続くメッセージコード「１５」により図４に示す定型文テーブルより定型文「トラブル」を読み出しメッセージ表示部４２１に表示し、さらに、色指定コード「Ｕ７」に続く色パターンコード「０３」により図５に示す色パターンテーブルより「黄」を読み出し、メッセージコード「１５」で指定された定型文「トラブル」の表示を黄色にする。
【００７４】
次に、メッセージデータとして、「［［１５」を受信したような場合は、ステップ８１６まで上述と同様で、ステップ８１７で定型文指定コードとメッセージコードの後に色指定コードがあるかの判断でＮＯとなるので、ステップ８２１に進み、表示部４２のメッセージ表示部４２１にこのメッセージデータによるメッセージを表示するようになる。
【００７５】
この場合のメッセージ表示部４２１での表示例も、図１０に示すようになるが、ここでも背景色を決定する色指定コード「Ｕ７」がないので、背景色は設定されず無色になり、定型文指定コード「［［」に続くメッセージコード「１５」により図４に示す定型文テーブルより定型文「トラブル」を読み出しメッセージ表示部４２１に表示する。しかし、これの後に色指定コードが続かないので、メッセージコード「１５」で指定された定型文「トラブル」の表示色も黒となり、無色地に黒で定型文「トラブル」が表示される。
【００７６】
次に、メッセージデータとして、「４９１９Ｕ７０３０１」を受信したような場合は、ステップ８０４まで上述と同様で、ステップ８１６での定型文指定コードがあるかの判断でＮＯとなるので、ステップ８２２に進み、このメッセージデータの末尾に色指定コードがあるかを判断する。ここでは、ＹＥＳになるので、ステップ８２３に進み、色パターンコードが複数あるかを判断する。この場合、複数の色パターンコードとして２パターン「０３」「０１」を判断するので、ステップ８２４に進み、表示部４２のメッセージ表示部４２１にこのメッセージデータによるメッセージを表示するようになる。
【００７７】
この場合のメッセージ表示部４２１での表示例は、図１１に示すようになるが、ここでも背景色を決定する色指定コード「Ｕ７」がないので、背景色は設定されず無色になり、次いで、メッセージデータ「４９１９」をそのままメッセージ表示部４２１に表示し、さらに、メッセージデータ「４９１９］の後にある色指定コード「Ｕ７」に続く色パターンコード「０３」により前記色パターンテーブルより「黄」を読み出し、メッセージデータ「４９１９」の表示を黄色にする。さらに、色パターンコード「０３」に続く色パターンコード「０１」により前記色パターンテーブルより「赤」を読み出し、黄色で表示されているメッセージデータ「４９１９」表示を黄色から赤色に一定時間経過後、変化させるようになる。
【００７８】
次に、メッセージデータとして、「４９１９Ｕ７０３」を受信したような場合は、ステップ８２２まで上述したと同様で、ステップ８２３の色パターンコードが複数あるかの判断で、色パターンコード「０３」のみを判断するので、ＮＯとなって、ステップ８２５に進み、表示部４２のメッセージ表示部４２１にこのメッセージデータによるメッセージを表示するようになる。
【００７９】
この場合のメッセージ表示部４２１での表示例も、図１１に示すようになるが、ここでも背景色を決定する色指定コード「Ｕ７」がないので、背景色は設定されず無色になり、次いで、メッセージデータ「４９１９」をそのままメッセージ表示部４２１に表示し、さらに、色指定コード「Ｕ７」に続く色パターンコード「０３」により図５に示す色パターンテーブルより「黄」を読み出し、メッセージコード「１５」で指定された定型文「トラブル」の表示を黄色にする。
【００８０】
次に、メッセージデータとして、「４９１９」を受信したような場合は、ステップ８１６まで上述と同様で、ステップ８２２でのメッセージコードの末尾に色指定コードがあるかの判断でＮＯとなるので、ステップ８２６に進み、表示部４２のメッセージ表示部４２１にこのメッセージデータによるメッセージを表示するようになる。
【００８１】
この場合のメッセージ表示部４２１での表示例は、図１１に示すようになるが、ここでも背景色を決定する色指定コード「Ｕ７」がないので、背景色は設定されず無色になり、次いで、メッセージデータ「４９１９」をそのままメッセージ表示部４２１に表示する。しかし、これの後に色指定コードが続かないので、メッセージデータ「４９１９」の表示も黒のままで、無色地に黒で「４９１９」が表示される。
【００８２】
なお、これら受信したメッセージデータにおいて、定型文指定コード、色指定コードを受信しながらも、これら指定コードの後にメッセージコード、色パターンコードが続かない場合は、これらの指定コードは無効と見做される。また、上記第１の実施の形態において、色パターンコードと通常のメッセージデータ「４９１９」の間にスペースを空けるのは、「４９１９」を色パターンとして読ませないためである。
【００８３】
なお、第１の実施の形態では、表示色の変化はメッセージのみに限ったが、これに限らず背景色についても表示色に変化を与えるようにもできる。
【００８４】
従って、このような第１の実施の形態によれば、送信側では、定型文コード「［［」とともに定型文テーブルに基づいて決定される定型文コードと、色指定コード「Ｕ７」とともに色パターンテーブルに基づいて決定される色パターンコードとを組み合わせメッセージデータを生成し、一方、受信側では、このようなメッセージデータから定型文コード「［［」を受取ると、続く定型文コードから定型文テーブルに基づいて定型のメッセージを読み出し、また、色指定コード「Ｕ７」を受取ると、続く色パターンコードから色パターンテーブルに基づいて色彩情報を読み出し、この色彩情報によりメッセージ表示部４２１の背景色やメッセージ自身に色彩を施し表示するようにできる。また、色パターンコードを連続して設定することで、表示色を変化させることもできる。これにより、定型文からなるメッセージを色彩性を加味した表現力の富んだものとして送ることができ、相手に自分の意思やメッセージの緩急度を正確に伝えることができる。
【００８５】
（第２の実施の形態）
次に、本発明の第２の実施の形態を説明するが、この第２の実施の形態にも図１乃至図３で述べたと同様なページング受信機４が適用されるものとする。
【００８６】
この場合、ページング受信機４に用いられるＲＯＭ３３は、図４に示す定型文テーブル、図５に示す色パターンテーブルの他に、図１２に示す感情メッセージテーブルを記憶している。ここで、図１２に示す感情メッセージテーブルは、感情メッセージコードに対応付けて人間の感情を表すイラストによる感情パターンを記憶したもので、例えば、感情メッセージコード「２１」を指定すれば、これに対応して女性による表情を感情メッセージとして得られるようになっている。その他は、上述した第１の実施の形態と同様である。
【００８７】
しかして、このように構成したページング受信機を用いて送信メッセージを作成し、この作成したメッセージを当該ページング受信機と同一構成のページング受信機に送信する場合を図１３に示すフローチャートにより説明する。
【００８８】
まず、ステップ１３０１で、図２に示すキー入力部４１のモードキー８により送信メッセージ作成モードを選択する。
【００８９】
次に、ステップ１３０２で指定コードを決定する。ここで、指定コードは、キー入力部４１より、「＊」キー、「４」キー、「＊」キー、「４」キーを順に操作することにより入力する。このデータ「＊４＊４」が、定型の感情メッセージの指定コードであり、第１の実施の形態の定型文指定コードと同様である。この場合、キー入力部４１により「＊４＊４」と入力すると、表示部４２の送信コード表示部４２２には、「［［」が指定コードとして表示される。
【００９０】
次に、ステップ１３０３で感情メッセージを選択決定する。この場合、図１２に示す感情メッセージテーブル内の所望の感情パターンに対応する感情メッセージコード（２桁）を入力することで、送信する感情メッセージを決定する。
【００９１】
そして、ステップ１３０４に進んで、ステップ１３０３で決定した感情メッセージの顔部分について色指定するか決定する。ここで、色指定する場合は、色指定コード「Ｕ７」を設定する。そして、ステップ１３０５に進み、図５に示す色パターンテーブルに基づいて色パターンコードを選択、決定する。そして、ステップ１３０６に進む。
【００９２】
ステップ１３０６では、感情メッセージにおいて顔部分の色を変化させるか決定する。ここで、色のみを変化させる場合は、ステップ１３０５に戻り、続けて、図５に示す色パターンテーブルに基づいて色パターンコードを選択、決定する。
【００９３】
次いで、ステップ１３０７に進み、この感情メッセージを動画として顔部分の色変化をともなって送信するかを決定する。ここで、動画として送信する場合は、ステップ１３０２に戻って、再び、指定コード「［［」を決定したのち、ステップ１３０３での感情メッセージの選択、決定、ステップ１３０５での色パターンコードの選択、決定を実行する。
【００９４】
その後、ステップ１３０８で、送信メッセージ作成を終了すると、次のステップ１３０９でデータ送信が可能になる。この場合、図１に示すプッシュホン電話端末１の送話器に、図２に示すダイヤラースピーカ１０を押し当て、ダイヤラーキー９を操作することで作成した送信コードによるダイヤルトーンが自動的に出力されるようになる。
【００９５】
図１４（ａ）（ｂ）は、送信メッセージ作成時の表示部４２での表示例を示している。
【００９６】
この場合、図１４（ａ）に示すように送信メッセージ作成モードを指示した後、まず、キー入力部４１より「＊」キー、「４」キー、「＊」キー、「４」キーを順に操作することにより定型の感情メッセージの指定コードを入力する。この場合、表示部４２の送信コード表示部４２２には、「［［」が表示される。
【００９７】
次に、キー入力部１４より「２１」から「３６」までのいずれかのコードを入力すると、メッセージ表示部４２１に、図１２に示す感情メッセージテーブルの感情パターン（図示では感情メッセージコード「２１」）が点滅表示される。そして、パターンを採用するためセットキー６を操作して感情メッセージコードを決定すると、送信コード表示部４２２には、指定コード「［［」に続けて感情メッセージコード「２１」が表示され、同時にメッセージ表示部４２１に感情メッセージコード「２１」に対応する感情パターンが表示される。
【００９８】
さらに、キー入力部４１により、＊０を入力し、続けて「７」を入力すると、色指定コード「Ｕ７」が表示され、次に、図５に示す色パターンテーブルに基づき色パターンコード「００」に対応する「白」をセットキー６を操作して決定すれば、送信コード表示部４２２には、「［［２１Ｕ７」に続けて色パターンコード「００」が表示される。これにより、メッセージ表示部４２１には、感情メッセージコード「２１」による感情メッセージの顔部分が「白色」で表示される。
【００９９】
次に、複数感情メッセージを順次切り換えて表示する動画として送信する場合は、図１４（ｂ）に示すように、「［［２１Ｕ７００」に続けて、さらにキー入力部４１により「＊４＊４」を入力すると、さらに指定コード「［［」が表示され、続けて、上述したと同様にして、例えば感情メッセージコード「２８」をセットキー６を操作して決定すれば、送信コード表示部４２２には「［［」に続けて感情メッセージコード「２８」が表示され、同時にメッセージ表示部４２１に感情メッセージコード「２８」に対応する感情パターンが表示される。
【０１００】
さらに、キー入力部４１により、＊０を入力し、続けて「７」を入力すると、色指定コード「Ｕ７」が表示され、次に、図５に示す色パターンテーブルに基づき色パターンコード「０６」に対応する「ピンク」をセットキー６を操作して決定すれば、送信コード表示部４２２には、「［［２１Ｕ７００［［２８Ｕ７」に続けて色パターンコード「０６」が表示される。これにより、メッセージ表示部４２１には感情メッセージコード「２８」による感情メッセージの顔部分が「ピンク」で表示される。
【０１０１】
これで色彩情報を付加した感情メッセージによる送信メッセージの作成が完了する。
【０１０２】
次に、当該ページング受信機４を呼出す無線信号を受信する受信モードを図１５および図１６に示すフローチャートにより説明する。
【０１０３】
この場合、ステップ１５０１で、アンテナ２１を介してＲＦ受信部２２で当該ページング受信機４を呼出す無線信号を受信すると、ＲＦ受信部２２では、この受信した無線信号を復調してデコーダ部２３に与える。デコーダ部２３では、復調された無線信号における呼出し信号についてＩＤ−ＲＯＭ２５より与えられる当該ページング受信機に個別に割当てられたＩＤコードとの一致を判断する。そして、これらが一致した場合のみ、呼出信号受信にともなう呼出検出信号をＣＰＵ２４に送出する。
【０１０４】
次に、ステップ１５０２で、この無線信号において呼出信号の後にメッセージデータが付いているか否かを判断する。ここで、メッセージデータが続いていない場合は、ステップ１５０３に進み、呼出信号にともなう受信報知のみを行う。
【０１０５】一方、呼出信号の後にメッセージデータが続く場合は、ＣＰＵ２４よりデコーダ部２３に対してこのメッセージデータを継続して受信することを指示して、メッセージデータを取込み、ステップ１５０４に進む。
【０１０６】
ステップ１５０４で、メッセージデータ中に感情メッセージ指定コードがあるかを判断する。ここで、感情メッセージ指定コードがない場合は、ステップ１５０５に進み、メッセージデータに従った表示のみを行う。
【０１０７】
一方、感情メッセージ指定コードがある場合は、以下の動作が実行される。ここで、例えば、メッセージデータとして上述した図１４に示す「［［２１Ｕ７００［［２８Ｕ７０６」を受信した場合は、ステップ１５０４で、感情メッセージ指定コード「［［」が存在しＹＥＳとなるので、ステップ１５０６に進む。そして、ステップ１５０６で、指定コードと感情メッセージコードの後にメッセージデータが続くかを判断する。ここでは色指定コード「Ｕ７」が続きＹＥＳとなるので、ステップ１５０７に進む。
【０１０８】
ステップ１５０７では、感情メッセージ指定コードまたは色指定コードのいずれが続くかを判断する。ここでは、色指定コード「Ｕ７」が続くので、ステップ１５０８に進み、さらにパターンコードの後に感情メッセージ指定コードまたは色パターンコードのいずれが続くかを判断する。この場合は感情メッセージ指定コード「［［」が続くので、ステップ１５０９に進み、色指定コードがあるかを判断する。この場合、色指定コード「Ｕ７」を判断するので、ステップ１５１０に進み、表示部４２のメッセージ表示部４２１にこのメッセージデータによるメッセージを表示するようになる。
【０１０９】
この場合のメッセージ表示部４２１での表示例は、図１７（ａ）（ｂ）に示すようになる。この場合、メッセージデータ「［［２１Ｕ７００［［２８Ｕ７０６」に基づき、まず指定コード「［［」に続く感情メッセージコード「２１」によりＲＯＭ３３の図１２に示す感情メッセージテーブルより対応する感情メッセージを読み出し、メッセージ表示部４２１に表示する。次いで、色指定コード「Ｕ７」に続く色パターンコード「００」によりＲ０Ｍ３３の図５に示す色パターンテーブルより「白」を読み出し、感情メッセージコード「２１」により指定された感情メッセージの顔部分を白で表示する。
【０１１０】
また、指定コード「［［」に続く感情メッセージコード「２８」により上述の図１２に示す感情メッセージテーブルより対応する感情メッセージを読み出し、メッセージ表示部４２１に表示する。そして、色指定コード「Ｕ７」に続く色パターンコード「０６」により上述の図５に示す色パターンテーブルより「ピンク」を読み出し、感情メッセージコード「２８」により指定された感情メッセージの顔部分をピンクとし、これら別個に着色された二つの感情メッセージを交互に切り替えて動画表示する。
【０１１１】
次に、メッセージデータとして、「［［２１Ｕ７００［［２８」を受信したような場合には、ステップ１５０８まで上述と同様で、ステップ１５０９での色指定コードがあるかの判断で、色指定コードはないと判断するので、ステップ１５１１に進み、表示部４２のメッセージ表示部４２１にこのメッセージデータによるメッセージを表示するようになる。
【０１１２】
この場合のメッセージ表示部４２１での表示例も、図１７（ａ）（ｂ）に示すようになる。この場合、メッセージデータ「［［２１Ｕ７００［［２８Ｕ７」に基づき、指定コード「［［」に続く感情メッセージコード「２１」によりＲＯＭ３３の図１２に示す感情メッセージテーブルより対応する感情メッセージを読み出し、メッセージ表示部４２１に表示する。次いで、色指定コード「Ｕ７」に続く色パターンコード「００」によりＲ０Ｍ３３の図５に示す色パターンテーブルより「白」を読み出し、感情メッセージコード「２１」により指定された感情メッセージの顔部分を白で表示する。さらに、指定コード「［［」に続く感情メッセージコード「２８」により上述の図１２に示す感情メッセージテーブルより対応する感情メッセージを読み出し、メッセージ表示部４２１に表示する。しかし、これ以降に色指定コードがないので、感情メッセージコード「２１」「２８」の感情メッセージの顔部分は共に、色パターンコード「００」で指定された白色となり、これら同じに着色された二つの感情メッセージは、交互に切り替えて動画表示される。
【０１１３】
次に、メッセージデータとして、「［［２１Ｕ７０００６」を受信したような場合には、ステップ１５０７まで上述と同様で、ステップ１５０８での感情メッセージ指定コードまたは色パターンコードのいずれが続くかの判断で、色パターンコード「０６」を判断するので、ステップ１５１２に進み、表示部４２のメッセージ表示部４２１にこのメッセージデータによるメッセージを表示するようになる。
【０１１４】
この場合のメッセージ表示部４２１での表示例は、図１７（ａ）に示すようになる。この場合、メッセージデータ「［［２１Ｕ７０００６」に基づき、指定コード「［［」に続く感情メッセージコード「２１」によりＲＯＭ３３の図１２に示す感情メッセージテーブルより対応する感情メッセージを読み出し、メッセージ表示部４２１に表示する。次いで、色指定コード「Ｕ７」に続く色パターンコード「００」「０６」によりＲ０Ｍ３３の図５に示す色パターンテーブルより「白」、「ピンク」を読み出すので、感情メッセージコード「２１」により指定された感情メッセージの顔部分は、白とピンクの色変化を伴って表示される。
【０１１５】
次に、メッセージデータとして、「［［２１［［２８Ｕ７０６」を受信したような場合には、ステップ１５０６まで上述と同様で、ステップ１５０７での感情メッセージ指定コードまたは色指定コードのいずれが続くかの判断で、感情メッセージ指定コード「［［」を判断するので、ステップ１５１４に進み、色指定コードが続くか判断する。この場合色指定コード「Ｕ７」が続くので、ステップ１５１５に進み、表示部４２のメッセージ表示部４２１にこのメッセージデータによるメッセージを表示するようになる。
【０１１６】
この場合のメッセージ表示部４２１での表示例は、図１７（ａ）（ｂ）に示すようになる。この場合、メッセージデータ「［［２１［［２８Ｕ７０６」に基づき、まず指定コード「［［」に続く感情メッセージコード「２１」によりＲＯＭ３３の図１２に示す感情メッセージテーブルより対応する感情メッセージを読み出し、メッセージ表示部４２１に表示する。ところが、感情メッセージコード「２１」には色パターンコードによる指定がないので、感情メッセージコード「２１」で指定された感情メッセージの顔部分は設定されないため無色となる。次いで、指定コード「［［」に続く感情メッセージコード「２８」により上述の図１２に示す感情メッセージテーブルより対応する感情メッセージを読み出し、メッセージ表示部４２１に表示する。続けて、色指定コード「Ｕ７」に続く色パターンコード「０６」によりＲ０Ｍ３３の図５に示す色パターンテーブルより「ピンク」を読み出し、感情メッセージコード「２８」により指定された感情メッセージの顔部分をピンクで表示する。これにより、顔部分を無色にした感情メッセージコード「２１」と顔部分をピンクにした感情メッセージコード「２８」の感情メッセージは、交互に切り替えて動画表示される。
【０１１７】
次に、メッセージデータとして、「［［２１［［２８」を受信したような場合には、ステップ１５０７まで上述と同様で、ステップ１５１４での色指定コードがあるかの判断で、色指定コードなしを判断するので、ステップ１５１６に進み、表示部４２のメッセージ表示部４２１にこのメッセージデータによるメッセージを表示するようになる。
【０１１８】
この場合のメッセージ表示部４２１での表示例も、図１７（ａ）（ｂ）に示すようになる。この場合、メッセージデータ「［［２１［２８」に基づき、まず指定コード「［［」に続く感情メッセージコード「２１」によりＲＯＭ３３の図１２に示す感情メッセージテーブルより対応する感情メッセージを読み出し、メッセージ表示部４２１に表示するが、感情メッセージコード「２１」には色パターンコードによる指定がないので、感情メッセージコード「２１」で指定された感情メッセージの顔部分は設定されないため無色となる。次いで、指定コード「［［」に続く感情メッセージコード「２８」により上述の図１２に示す感情メッセージテーブルより対応する感情メッセージを読み出し、メッセージ表示部４２１に表示するが、この場合も感情メッセージコード「２８」には色パターンコードによる指定がないので、感情メッセージコード「２１」で指定された感情メッセージの顔部分は無色となる。これにより、顔部分をともに無色にした感情メッセージコード「２１」「２８」による感情メッセージは、交互に切り替えて動画表示される。
【０１１９】
次に、メッセージデータとして、「［［２１」を受信したような場合には、ステップ１５０４まで上述と同様で、ステップ１５０６での後続するメッセージデータが有るかの判断で、メッセージデータなしを判断するので、ステップ１５１３に進み、表示部４２のメッセージ表示部４２１にこのメッセージデータによるメッセージを表示するようになる。
【０１２０】
この場合のメッセージ表示部４２１での表示例は、図１７（ａ）に示すようになる。この場合、メッセージデータ「［［２１」に基づき、まず指定コード「［［」に続く感情メッセージコード「２１」によりＲＯＭ３３の図１２に示す感情メッセージテーブルより対応する感情メッセージを読み出し、メッセージ表示部４２１に表示する。この場合、感情メッセージコード「２１」には色指定コードによる指定がないので、感情メッセージコード「２１」で指定された感情メッセージの顔部分は無色となる。これにより、顔部分を無色にした感情メッセージコード「２１」による感情メッセージが表示される。
【０１２１】
なお、第２の実施の形態では、メッセージ表示部４２１に表示できる感情メッセージのパターンは２種類であるが、３パターンもしくはそれ以上にすることもできる。
【０１２２】
従って、このような第２の実施の形態によれば、送信側では、感情メッセージ指定コード「［［」とともに感情メッセージテーブルに基づいて決定される感情メッセージコードと、色指定コード「Ｕ７」とともに色パターンテーブルに基づいて決定される色パターンコードとを組み合わせメッセージデータを生成し、一方、受信側では、このようなメッセージデータから感情メッセージ指定コード「［［」を受取ると、続く感情メッセージコードから感情メッセージテーブルに基づいて感情メッセージを読み出し、また、色指定コード「Ｕ７」を受け取ると、続く色パターンコードから色パターンテーブルに基づいて色彩情報を読み出し、この色彩情報により、メッセージ表示部４２１に表示される感情メッセージの顔などに色彩を施し表示するようにできる。また、色パターンコードを連続して設定することで、感情メッセージの顔の色を順次変化させることができる。また、感情メッセージコードを複数設定すれば、動画形式で感情メッセージを表示でき、しかも、これら感情メッセージの表示色に変化を与えることもできる。これによって、感情メッセージを色彩性を加味した表現力の富んだものとして送ることができ、相手に自分の意思を正確に伝えることができる。
【０１２３】
（第３の実施の形態）
次に、本発明の第３の実施の形態を説明するが、この第３の実施の形態にも図１乃至図３で述べたと同様なページング受信機４が適用されるものとする。
【０１２４】
この場合、ページング受信機４に用いられるＲＯＭ３３は、図４に示す定型文フテーブル、図５に示す色パターンテーブルの他に、図１８に示す似顔絵パターンテーブルを記憶している。ここで、図１８に示す似顔絵パターンテーブルには、似顔絵パターンコードに対応付けて似顔絵を作成するための定型の「似顔絵パターン」の他に、パーツパターンコードに対応付けて、「髪形」「眉」などの各パーツパターンを記憶したもので、例えば似顔絵パターンコード「２１」を指定すれば、定型の「似顔絵パターン」、パーツパターンコード「１１」を指定すれば、怒っている状態の「眉」のパーツパターンを得られるようになっている。その他は、上述した第１の実施の形態と同様である。
【０１２５】
しかして、このように構成したページング受信機を用いて送信メッセージを作成し、この作成したメッセージを当該ページング受信機と同一構成のページング受信機に送信する場合を図１９に示すフローチャートにより説明する。
【０１２６】
まず、ステップ１９０１で、図２に示すキー入力部４１のモードキー８により似顔絵パターンによる送信メッセージ作成モードを選択する。
【０１２７】
次に、ステップ１９０２で指定コードを決定する。ここで、指定コードは、キー入力部４１より、「＊」キー、「４」キー、「＊」キー、「４」キーを順に操作することにより入力する。このデータ「＊４＊４」が、定型の「似顔絵パターン」の指定コードであり、第１の実施の形態の定型文指定コードと同様である。この場合、キー入力部４１により「＊４＊４」と入力すると、表示部４２の送信コード表示部４２２には、「［［」が指定コードとして表示される。
【０１２８】
次に、ステップ１９０３で所望の似顔絵パターンコードを選択、決定する。この場合、図１８に示す似顔絵パターンテーブル内の似顔絵パターンコード（２桁）を入力することで決定する。
【０１２９】
そして、ステップ１９０４に進んで、ステップ１９０３で決定した似顔絵パターンの顔部分について色指定するか決定する。ここで、色指定する場合は、色指定コード「Ｕ７」を設定する。そして、ステップ１９０５に進み、図５に示す色パターンテーブルに基づいて色パターンコードを選択、決定する。そして、ステップ１９０６に進む。
【０１３０】
ステップ１９０６では、似顔絵パターンに対して変化を加えるためさらにパーツ指定するかを決定する。ここで、パーツ指定を行わない場合、すなわちこの似顔絵パターンで送信する場合は、後述するステップ１９１１でのデータ送信が可能になる。
【０１３１】
一方、パーツ指定を行う場合は、ステップ１９０７でキー入力部４１より「＊」キー、「６」キー、「＊」キー、「６」キーを順に操作することによりパーツ指定コードを入力する。この場合、表示部４２の送信コード表示部４２２には、「］］」が表示される。また、これと同時に指定するパーツパターンのパーツパターンコードを選択する。この場合、図１８に示す似顔絵パターンテーブル内の所望のパーツパターンに対応するパーツパターンコード（２桁）を入力することで、パーツパターンコードを決定する。
【０１３２】
そして、ステップ１９０８に進んで、ステップ１９０７で決定したパーツパターンについて着色すべく色指定するか決定する。ここで、色指定する場合は、色指定コード「Ｕ７」を設定する。そして、ステップ１９０９に進み、図５に示す色パターンテーブルに基づいて色パターンコードを選択、決定する。そして、ステップ１９１０に進む。
【０１３３】
次いで、ステップ１９１０に進み、メッセージ作成終了かを判断し、未だ終了していなければ、ステップ１９０７に戻って、さらにパーツ指定コード、パーツパターンコードを決定し、また、送信メッセージ作成の終了を判断すると、次のステップ１９１１でデータ送信が可能になる。この場合、図１に示すプッシュホン電話端末１の送話器に、図２に示すダイヤラースピーカ１０を押し当て、ダイヤラーキー９を操作することで作成した送信コードによるダイヤルトーンが自動的に出力されるようになる。
【０１３４】
図２０（ａ）（ｂ）は、送信メッセージ作成時の表示部４２での表示例を示している。
【０１３５】
この場合、図２０（ａ）に示すように、送信メッセージ作成モードを指示した後、まず、キー入力部４１より「＊」キー、「４」キー、「＊」キー、「４」キーを順に操作することにより定型の似顔絵パターン指定コードを入力する。この場合、表示部４２の送信コード表示部４２２には、「［［」が表示される。
【０１３６】
次に、キー入力部４１より図１８に示す似顔絵パターンテーブルに基づき、似顔絵パターンコード「２１」に対応する「似顔絵パターン」をセットキー６を操作し決定すれば、送信コード表示部４２２には、「［［」に続けて似顔絵パターンコード「２１」が表示される。
【０１３７】
また、キー入力部４１により、＊０を入力し、続けて「７」を入力すると、色指定コード「Ｕ７」が表示され、次に、図５に示す色パターンテーブルに基づき色パターンコード「００」に対応する「白」をセットキー６を操作して決定すれば、送信コード表示部４２２には、「［［２１Ｕ７」に続けて色パターンコード「００」が表示される。これにより、メッセージ表示部４２１には、似顔絵パターンコード「２１」による似顔絵パターンの顔部分が「白」で表示される。
【０１３８】
次に、似顔絵パターンとともに、パーツパターンも送信する場合は、図２０（ｂ）に示すように、「［［２１Ｕ７００」に続けて、さらにキー入力部４１により「＊６＊６」を入力する。すると、パーツ指定コード「］］」が表示され、続けて図１８に示す似顔絵パターンテーブルに基づき、パーツパターンコード「００」に対応する「髪形」パーツをセットキー６を操作し決定すれば、送信コード表示部４２２には、「［［２１Ｕ７００」に続けて、パーツ指定コード「］］」とパーツパターンコード「００」が表示される。
【０１３９】
さらに、キー入力部４１により、＊Ｏを入力し、続けて「７」を入力すると、色指定コード「Ｕ７」が表示され、次に、図５に示す色パターンテーブルに基づき色パターンコード「０４」に対応する「緑」をセットキー６を操作して決定すれば、送信コード表示部４２２には、「［［２１Ｕ７００］］００Ｕ７」に続けて色パターンコード「０４」が表示される。
【０１４０】
さらに、キー入力部４１により「＊６＊６」を入力すると、パーツ指定コード「］］」が表示され、続けて図１８に示す似顔絵パターンテーブルに基づき、パーツパターンコード「８１」に対応する「頬」パーツをセットキー６を操作し決定すれば、送信コード表示部４２２には、「［［２１Ｕ７００］］００Ｕ７０４」に続けて、パーツ指定コード「］］」とパーツパターンコード「８１」が表示される。
【０１４１】
さらに、キー入力部４１により、＊０と「７」を入力すると、色指定コード「Ｕ７」が表示され、次に、図５に示す色パターンテーブルに基づき色パターンコード「０６」に対応する「ピンク」をセットキー６を操作して決定すれば、送信コード表示部４２２には、「［［２１Ｕ７００］］００Ｕ７０４］］８１Ｕ７０６」が表示される。これによりメッセージ表示部４２１には、似顔絵パターンコード「２１」による似顔絵パターンの顔部分が「白」、「髪型」パーツが「緑」、「頬」パーツが「ピンク」で表示される。
【０１４２】
これで色彩情報を付加した似顔絵パターンによる送信メッセージの作成が完了する。
【０１４３】
次に、当該ページング受信機４を呼出す無線信号を受信する受信モードを図２１および図２２に示すフローチャートにより説明する。
【０１４４】
この場合、ステップ２１０１で、アンテナ２１を介してＲＦ受信部２２で当該ページング受信機４を呼出す無線信号を受信すると、ＲＦ受信部２２では、この受信した無線信号を復調してデコーダ部２３に与える。デコーダ部２３では、復調された無線信号における呼出し信号についてＩＤ−ＲＯＭ２５より与えられる当該ページング受信機に個別に割当てられたＩＤコードとの一致を判断する。そして、これらが一致した場合のみ、呼出信号受信にともなう呼出信号検出信号をＣＰＵ２４に送出する。
【０１４５】
次に、ステップ２１０２で、呼出信号の後にメッセージデータが付いているか否かを判断する。ここで、メッセージデータが続いていない場合は、ステップ１５０３に進み、呼出信号にともなう受信報知のみを行う。
【０１４６】
一方、呼出信号の後にメッセージデータが続く場合は、ＣＰＵ２４よりデコーダ部２３に対してメッセージデータを継続して受信することを指示して、メッセージデータを取込み、ステップ２１０４に進む。
【０１４７】
ステップ２１０４で、メッセージデータ中に似顔絵パターン指定コードがあるかを判断する。ここで、似顔絵パターン指定コードがない場合は、ステップ２１０５に進み、メッセージデータに従った表示のみを行う。
【０１４８】
一方、似顔絵パターン指定コードがある場合は、以下の動作が実行される。ここで、例えば、メッセージデータとして上述した図２０に示す「［［２１Ｕ７００］］００Ｕ７０４］］８１Ｕ７０６」を受信した場合は、ステップ２１０４で、似顔絵パターン指定コード「［［」が存在しＹＥＳとなるので、ステップ２１０６に進む。そして、ステップ２１０６で、似顔絵パターンコードの後に色指定コードが続くかを判断する。ここでは色指定コード「Ｕ７」が続きＹＥＳとなるので、さらにステップ２１０７に進む。
【０１４９】
ステップ２１０７では、色パターンコードに続くデータにパーツ指定コードが有るか判断する。ここでは、「］］」が有るので、ステップ２１０８に進み、さらにパーツパターンコードの後に色指定コードが続くか判断する。ここでも色指定コード「Ｕ７」が続きＹＥＳとなるので、ステップ２１０９で続けて色パターンコードの後にメッセージデータが有るかを判断する。この場合、さらにメッセージデータが続くのでステップ２１０７に戻り、続けてデータにパーツ指定コードが有るの判断を再度繰り返す。そして、ステップ２１０９で、続くメッセージデータがないと判断すると、ステップ２１１０に進み、表示部４２のメッセージ表示部４２１にこのメッセージデータによるメッセージを表示するようになる。
【０１５０】
この場合のメッセージ表示部４２１での表示例は、図２３（ｂ）に示すようになる。この場合、メッセージデータ「［［２１Ｕ７００］］００Ｕ７０４］］８１Ｕ７０６」に基づき、まず指定コード「［［」に続く似顔絵パターンコード「２１」によりＲＯＭ３３の図１８に示す似顔絵パターンテーブルより対応する似顔絵パターンを読み出し、メッセージ表示部４２１に表示する。次いで、色指定コード「Ｕ７」に続く色パターンコード「００」によりＲ０Ｍ３３の図５に示す色パターンテーブルより「白」を読み出し、似顔絵パターンコード「２１」により指定された似顔絵パターンの顔部分を白で表示する。
【０１５１】
また、パーツ指定コード「］］」に続くパーツパターンコード「００」により上述の図１８に示す似顔絵パターンテーブルより対応する「髪形」パーツを読み出し、さらに色指定コード「Ｕ７」に続く色パターンコード「０４」によりＲ０Ｍ３３の図５に示す色パターンテーブルより「緑」を読み出し、パーツパターンコード「００」により指定された「髪形」パーツを緑で表示する。さらに、パーツ指定コード「］］」に続くパーツパターンコード「８１」により上述の図１８に示す似顔絵パターンテーブルより対応する「頬」パーツを読み出し、さらに色指定コード「Ｕ７」に続く色パターンコード「０６」によりＲ０Ｍ３３の図５に示す色パターンテーブルより「ピンク」を読み出し、パーツパターンコード「８１」により指定された「頬」パーツをピンクで表示する。
【０１５２】
次に、メッセージデータとして、「［［２１Ｕ７００］］００Ｕ７０４］］８１」を受信したような場合には、ステップ２１０９まで進んだ後、ステップ２１０７まで上述と同様で、ステップ２１０８での色指定コードが有るかの判断でＮＯとなるので、ステップ２１１１に進み、表示部４２のメッセージ表示部４２１にこのメッセージデータによるメッセージを表示するようになる。
【０１５３】
この場合のメッセージ表示部４２１での表示例も、図２３（ｂ）に示すようになる。この場合、メッセージデータ「［［２１Ｕ７００］］００Ｕ７０４］］８１」に基づき、まず指定コード「［［」に続く似顔絵パターンコード「２１」によりＲＯＭ３３の図１８に示す似顔絵パターンテーブルより対応する似顔絵パターンを読み出し、メッセージ表示部４２１に表示する。次いで、色指定コード「Ｕ７」に続く色パターンコード「００」によりＲ０Ｍ３３の図５に示す色パターンテーブルより「白」を読み出し、似顔絵パターンコード「２１」により指定された似顔絵パターンの顔部分を白で表示する。また、パーツ指定コード「］］」に続くパーツパターンコード「００」により上述の図１８に示す似顔絵パターンテーブルより対応する「髪形」パーツを読み出し、さらに色指定コード「Ｕ７」に続く色パターンコード「０４」によりＲ０Ｍ３３の図５に示す色パターンテーブルより「緑」を読み出し、パーツパターンコード「００」により指定された「髪形」パーツを緑で表示する。さらに、パーツ指定コード「］］」に続くパーツパターンコード「８１」により上述の図１８に示す似顔絵パターンテーブルより対応する「頬」パーツを読み出す。ところが、パーツパターンコード「８１」には、色パターンコードによる指定がないので、パーツパターンコード「８１」で指定された「頬」パーツは黒で表示される。
【０１５４】
次に、メッセージデータとして、「［［２１Ｕ７００」を受信したような場合には、ステップ２１０６まで上述と同様で、ステップ２１０７での続くデータにパーツ指定コードが有るかの判断でＮＯとなるので、ステップ２１１２に進み、表示部４２のメッセージ表示部４２１にこのメッセージデータによるメッセージを表示するようになる。
【０１５５】
この場合のメッセージ表示部４２１での表示例も、図２３（ａ）に示すようになる。この場合、メッセージデータ「［［２１Ｕ７００」に基づき、まず指定コード「［［」に続く似顔絵パターンコード「２１」によりＲＯＭ３３の図１８に示す似顔絵パターンテーブルより対応する似顔絵パターンを読み出し、メッセージ表示部４２１に表示する。次いで、色指定コード「Ｕ７」に続く色パターンコード「００」によりＲ０Ｍ３３の図５に示す色パターンテーブルより「白」を読み出し、似顔絵パターンコード「２１」により指定された似顔絵パターンの顔部分を白で表示する。
【０１５６】
次に、メッセージデータとして、「［［２１］］００Ｕ７０４］］８１Ｕ７０６」を受信したような場合には、ステップ２１０４まで上述と同様で、ステップ２１０６での色指定コードが有るかの判断でＮＯとなるので、ステップ２１１３に進む。ステップ２１１３では、データにパーツ指定コードが有るか判断する。ここでは、「］］」が有るので、ステップ２１１４に進み、さらにパーツパターンコードの後に色指定コードが続くか判断する。ここでも色指定コード「Ｕ７」が続きＹＥＳとなるので、ステップ２１１５で続けて色パターンコードの後にメッセージデータが有るかを判断する。この場合、さらにメッセージデータが続くのでステップ２１１３に戻り、続けてデータにパーツ指定コードが有るかの判断を繰り返す。そして、ステップ２１１７で、続くメッセージデータがないと判断すると、ステップ２１１６に進み、表示部４２のメッセージ表示部４２１にこのメッセージデータによるメッセージを表示するようになる。
【０１５７】
この場合のメッセージ表示部４２１での表示例は、図２３（ｂ）に示すようになる。この場合、メッセージデータ「［［２１］］００Ｕ７０４］］８１Ｕ７０６」に基づき、まず指定コード「［［」に続く似顔絵パターンコード「２１」によりＲＯＭ３３の図１８に示す似顔絵パターンテーブルより対応する似顔絵パターンを読み出し、メッセージ表示部４２１に表示する。ところが、この時の似顔絵パターンコード「２１」には、色パターンコードによる指定がないので、似顔絵パターンコード「２１」で指定された「似顔絵パターン」の顔部分は無色になる。
【０１５８】
また、パーツ指定コード「］］」に続くパーツパターンコード「００」により上述の図１８に示す似顔絵パターンテーブルより対応する「髪形」パーツを読み出し、さらに色指定コード「Ｕ７」に続く色パターンコード「０４」によりＲ０Ｍ３３の図５に示す色パターンテーブルより「緑」を読み出し、パーツパターンコード「００」により指定された「髪形」パーツを緑で表示する。さらに、パーツ指定コード「］］」に続くパーツパターンコード「８１」により上述の図１８に示す似顔絵パターンテーブルより対応する「頬」パーツを読み出し、さらに色指定コード「Ｕ７」に続く色パターンコード「０６」によりＲ０Ｍ３３の図５に示す色パターンテーブルより「ピンク」を読み出し、パーツパターンコード「８１」により指定された「頬」パーツをピンクで表示する。
【０１５９】
次に、メッセージデータとして、「［［２１］］００Ｕ７０４］］８１」を受信したような場合には、ステップ２１１５まで進んだところ、再度のステップ２１１３まで上述と同様で、ステップ２１１４での色指定コードが有るかの判断でＮＯとなるので、ステップ２１１７に進み、表示部４２のメッセージ表示部４２１にこのメッセージデータによるメッセージを表示するようになる。
【０１６０】
この場合のメッセージ表示部４２１での表示例も、図２３（ｂ）に示すようになる。この場合、メッセージデータ「［［２１］］００Ｕ７０４］］８１」に基づき、まず指定コード「［［」に続く似顔絵パターンコード「２１」によりＲＯＭ３３の図１８に示す似顔絵パターンテーブルより対応する似顔絵パターンを読み出し、メッセージ表示部４２１に表示する。ところが、この時の似顔絵パターンコード「２１」には、色パターンコードによる指定がないので、似顔絵パターンコード「２１」で指定された「似顔絵パターン」の顔部分は無色となる。また、パーツ指定コード「］］」に続くパーツパターンコード「００」により上述の図１８に示す似顔絵パターンテーブルより対応する「髪形」パーツを読み出し、さらに色指定コード「Ｕ７」に続く色パターンコード「０４」によりＲ０Ｍ３３の図５に示す色パターンテーブルより「緑」を読み出し、パーツパターンコード「００」により指定された「髪形」パーツを緑で表示する。さらに、パーツ指定コード「］］」に続くパーツパターンコード「８１」により上述の図１８に示す似顔絵パターンテーブルより対応する「頬」パーツを読み出す。ところが、この時のパーツパターンコード「８１」には、色パターンコードによる指定がないので、パーツパターンコード「８１」で指定された「頬」ハーツは黒で表示される。
【０１６１】
次に、メッセージデータとして、「［［２１」を受信したような場合には、ステップ２１０６まで上述と同様で、ステップ２１１３での続くデータにパーツ指定コードが有るかの判断でＮＯとなるので、ステップ２１１８に進み、表示部４２のメッセージ表示部４２１にこのメッセージデータによるメッセージを表示するようになる。
【０１６２】
この場合のメッセージ表示部４２１での表示例は、図２３（ａ）に示すようになる。この場合、メッセージデータ「［［２１」に基づき、まず指定コード「［［」に続く似顔絵パターンコード「２１」によりＲＯＭ３３の図１８に示す似顔絵パターンテーブルより対応する似顔絵パターンを読み出し、メッセージ表示部４２１に表示する。ところが、これ以降色指定に関するデータがないので、似顔絵パターンコード「２１」による似顔絵パターンの顔部分は無色のままで表示される。
【０１６３】
従って、このような第３の実施の形態によれば、送信側では、似顔絵パターン指定コード「［［」とともに似顔絵パターンテーブルに基づいて決定される似顔絵パターン、パーツ指定コード「］］」とともに似顔絵パターンテーブルに基づいて決定される似顔絵のパーツパターンコードおよび色指定コード「Ｕ７」とともに色パターンテーブルに基づいて決定される色パターンコードを組み合わせメッセージデータを生成し、一方、受信側では、このようなメッセージデータから似顔絵パターンコード「［［」を受取ると、続く似顔絵パターンコードから似顔絵パターンテーブルに基づいて似顔絵パターンを、また、パーツ指定コード「］］」を受取ると、続くパーツパターンコードから似顔絵パターンテーブルに基づいてパーツパターンをそれぞれ読み出し、また、色指定コード「Ｕ７」を受取ると、続く色パターンコードから色パターンテーブルに基づいて色彩情報を読み出し、この色彩情報により、メッセージ表示部４２１に表示される似顔絵パターンおよび似顔絵の一部を構成するパーツパターン個々に色彩を施し表示するようにできる。これによって、感情メッセージを色彩性を加味した表現力の富んだものとして送ることができ、相手に自分の意思を正確に伝えることができる。
【０１６４】
なお、第３の実施の形態では、似顔絵パターンを構成する各パーツパターンを個別に色指定するようにしたが、これに限らず、例えば、図２４に示した自作メッセージ用マトリクスをＲＯＭ３３に記憶し、この自作メッセージ指定コードを「Ｕ４」として予め設定しておくと、各文字ごとに色指定が可能になる。仮に、メッセージデータとして「Ｕ４３４Ｕ７０１Ｕ４８０Ｕ７０２Ｕ４５２９３Ｕ７０３Ｕ４８２Ｕ７０４」を受信したとすると、図２５に示すように「Ｕ４３４」によって自作メッセージ用マトリクスより読み出した「ト」を、「Ｕ７０１」によって指定された赤で表示し、同じく「Ｕ４８０Ｕ７０２」によって「ラ」を青で、「Ｕ４５２９３Ｕ７０３」によって「ブ」を黄色で、「Ｕ４８２Ｕ７０４」によって「ル」を緑でそれぞれ表示することも可能である。
【０１６５】
また、この場合、色指定コードおよび色パターンコードによって色付けされる文字は、直前の自作メッセージ指定コードで指定された文字のコードデータまでである。
【０１６６】
また、上述した第１ないし第３の実施の形態では、それぞれ表示例において独立した構成になっているが、それぞれ独立した指定コードと、ＲＯＭ３３内に図４に示す定型文テーブル、図５に示すような色パターンテーブル、図１２に示すような感情メッセージテーブル、図１８に示すような似顔絵パターンテーブル、図２４に示した自作メッセージ用マトリクスをそれぞれ備えることで、図２６の表示例のようにカナ文字、数字によるメッセージと感情メッセージ（似顔絵パターン）を同時に表示し、さらに別に色指定して表示できる他、それぞれの表示色を複数の段階に変化させるメッセージデータを送受信することも可能である。
【０１６７】
また、図２７に示す表示例のように似顔絵パターンに限らず用件をイラストで表示するようなものにもこの発明は適用できる。
【０１６８】
なお、本実施の形態においては、作成したメッセージによる送信コードはダイヤルトーンもしくはプッシュボタンなどで送信するようになっていたが、これに限らず外部出力端子としてモジュラープラグを備えることにより、モジュラージャックを直接接続してデータそのものを直接信号化して伝送することも可能である。さらに、公衆回線を利用したページング受信機に限らず、無線通信機能を有する各タイプの送信装置、受信装置に適用される。つまり、公衆回線を利用しない構内ページャや赤外線などで通信する通信機能付き玩具、また通信機能を有するパーソナルコンピュータ、電子手帳、その他の電子計算処理装置にもこの発明は適用できる。
【０１６９】
【発明の効果】
以上述べたように本発明によれば、送信側では伝送情報に色彩情報を付加して送信し、そし受信側では、受信した伝送情報について色彩情報に基づいて色付けして表示できるようにしているので、伝送情報として色彩性を加味した表現力の富んだものを送ることができるようになり、相手に自分の意思を正確に伝えることができる手段として大きな効果が期待できる。
【図面の簡単な説明】
【図１】本発明が適用される通信システムの一例を示す図。
【図２】本発明の第１の実施の形態に用いられるページング受信機の外観図。
【図３】第１の実施の形態に用いられるページング受信機の概略構成を示す図。
【図４】第１の実施の形態に用いられる定型文テーブルの一例を示す図。
【図５】第１の実施の形態に用いられる色パターンテーブルの一例を示す図。
【図６】第１の実施の形態の送信モードにおける送信メッセージの作成を説明するためのフローチャート。
【図７】第１の実施の形態の送信メッセージ作成時の表示例を示す図。
【図８】第１の実施の形態の受信モードを説明するためのフローチャート。
【図９】第１の実施の形態の受信モードを説明するためのフローチャート。
【図１０】第１の実施の形態の受信モードの表示部での表示例を示す図。
【図１１】第１の実施の形態の受信モードの表示部での表示例を示す図。
【図１２】本発明の第２の実施の形態に用いられる感情メッセージテーブルの一例を示す図。
【図１３】第２の実施の形態の送信モードにおける送信メッセージの作成を説明するためのフローチャート。
【図１４】第２の実施の形態の送信メッセージ作成時の表示例を示す図。
【図１５】第１の実施の形態の受信モードを説明するためのフローチャート。
【図１６】第２の実施の形態の受信モードを説明するためのフローチャート。
【図１７】第２の実施の形態の受信モードの表示部での表示例を示す図。
【図１８】本発明の第３の実施の形態に用いられる似顔絵パターンテーブルの一例を示す図。
【図１９】第３の実施の形態の送信モードにおける送信メッセージの作成を説明するためのフローチャート。
【図２０】第３の実施の形態の送信メッセージ作成時の表示例を示す図。
【図２１】第３の実施の形態の受信モードを説明するためのフローチャート。
【図２２】第３の実施の形態の受信モードを説明するためのフローチャート。
【図２３】第３の実施の形態の受信モードの表示部での表示例を示す図。
【図２４】本発明の他の実施の形態に用いられる自作文メッセージ用マトリクスを示す図。
【図２５】他の実施の形態の表示部での表示例を示す図。
【図２６】他の実施の形態の表示部での表示例を示す図。
【図２７】他の実施の形態の表示部での表示例を示す図。
【符号の説明】
１…電話端末、
２…電話交換網、
３…ページャサービス会社、
３１…中央制御局、
３２…送信基地局、
４…ページング受信機、
４１…キー入力部、
４２…表示部、
４２１…メッセージ表示部、
４２２…送信コード表示部、
４３…ヒンジ部、
５…数字キー、
６…セットキー、
７…セレクトキー、
８…モードキー、
９…ダイヤラーキー、
１０…ダイヤラースピーカ、
１１…電源投入スイッチ、
１２…リセットスイッチ、
２１…アンテナ、
２２…ＲＦ受信部、
２３…デコーダ部、
２４…ＣＰＵ、
２５…ＩＤ−ＲＯＭ、
２６…表示バッファ、
２７…スピーカドライバ、
２８…スピーカ、
２９…バイブレータドライバ、
３０…バイブレータ、
３１…ＬＥＤドライバ、
３２…ＬＥＤ、
３３…ＲＯＭ、
３４…ＲＡＭ。
【図１】
0003551942.tif 000002
【図２】
0003551942.tif 000003
【図３】
0003551942.tif 000004
【図４】
0003551942.tif 000005
【図５】
0003551942.tif 000006
【図６】
0003551942.tif 000007
【図７】
0003551942.tif 000008
【図８】
0003551942.tif 000009
【図９】
0003551942.tif 000010
【図１０】
0003551942.tif 000011
【図１１】
0003551942.tif 000012
【図１２】
0003551942.tif 000013
【図１３】
0003551942.tif 000014
【図１４】
0003551942.tif 000015
【図１５】
0003551942.tif 000016
【図１６】
0003551942.tif 000017
【図１７】
0003551942.tif 000018
【図１８】
0003551942.tif 000019
【図１９】
0003551942.tif 000020
【図２０】
0003551942.tif 000021
【図２１】
0003551942.tif 000022
【図２２】
0003551942.tif 000023
【図２３】
0003551942.tif 000024
【図２４】
0003551942.tif 000025
【図２５】
0003551942.tif 000026
【図２６】
0003551942.tif 000027
【図２７】
0003551942.tif 000028